(57)【要約】  【課題】  入浴者毎の特徴や測定条件を考慮した上で心臓の鼓動に関するデータを測定可能な温水システムの提供を目的とする。  【解決手段】  温水システム１は、音声入力手段２１に入力された音声データに基づいて入浴者Ｕｎを特定する個人特定手段２３と、入浴者Ｕｎ毎に鼓動情報を蓄積して個人蓄積情報Ｐｎを形成する蓄積手段１３とを有する。また、浴槽７内には、入浴者Ｕｎの心臓の鼓動に関する情報を検知する電極５１ａ〜５１ｃと、脈波センサ５２とを有する。電極５１ａ〜５１ｃや脈波センサ５２の検知信号に基づいて導出される心電図Ｘや心拍数Ｒ、血圧値Ｂは、報知手段２５，３８から報知されると共に、判断手段１５によって個人蓄積情報Ｐｎに記憶されているデータベースと比較され、異常の有無が判断される。【選択図】  図２
2005102859.tif 000002
【特許請求の範囲】
【請求項１】
音声情報に基づいて温水機器を操作可能な温水システムであって、
音声情報を入力する音声入力手段と、
音声入力手段に入力された音声情報に基づいて操作者を特定する個人特定手段と、
操作者の心臓の鼓動に関する鼓動情報を検知する検知手段と、
操作者毎に鼓動情報を蓄積して個人蓄積情報を形成する蓄積手段と、
前記操作者に関する個人蓄積情報に基づいて前記鼓動情報の判断を行う判断手段とを備えていることを特徴とする温水システム。
【請求項２】
音声情報に基づいて温水機器を操作可能な温水システムであって、
温水機器の操作を行うための音声情報を入力する音声入力手段と、
音声入力手段に入力された音声情報に基づいて操作者を特定する個人特定手段と、
操作者の心臓の鼓動に関する鼓動情報を検知する検知手段と、
操作者毎に鼓動情報を蓄積して個人蓄積情報を形成する蓄積手段と、
前記操作者に関する個人蓄積情報と前記鼓動情報との差異を報知する報知手段とを備えていることを特徴とする温水システム。
【請求項３】
音声情報に基づいて温水機器を操作可能な温水システムであって、
温水機器の操作を行うための音声情報を入力する音声入力手段と、
音声入力手段に入力された音声情報に基づいて操作者を特定する個人特定手段と、
操作者の心臓の鼓動に関する鼓動情報を検知する検知手段と、
操作者毎に鼓動情報を蓄積して個人蓄積情報を形成する蓄積手段と、
前記個人蓄積情報に基づいて導出された鼓動情報の経時変化を示す基準波形、並びに、検知手段で検知されている鼓動情報の経時変化を示す鼓動波形を表示する報知手段とを備えており、
鼓動波形は、基準波形との差異に応じて異なる色で表示されることを特徴とする温水システム。
【請求項４】
音声情報に基づいて温水機器を操作可能な温水システムであって、
温水機器の操作を行うための音声情報を入力する音声入力手段と、
音声入力手段に入力された音声情報に基づいて操作者を特定する個人特定手段と、
操作者の心臓の鼓動に関する鼓動情報を検知する検知手段と、
操作者毎に鼓動情報を蓄積して個人蓄積情報を形成する蓄積手段と、
前記操作者に関する個人蓄積情報に基づいて前記鼓動情報の異常を判断する判断手段と、
当該判断手段による判断結果を報知する報知手段とを備えていることを特徴とする温水システム。
【請求項５】
音声情報に基づいて温水機器を操作可能な温水システムであって、
温水機器の操作を行うための音声情報を入力する音声入力手段と、
音声入力手段に入力された音声情報に基づいて操作者を特定する個人特定手段と、
操作者の心臓の鼓動に関する鼓動情報を検知する検知手段と、
操作者毎に鼓動情報を蓄積して個人蓄積情報を形成する蓄積手段と、
前記操作者に関する個人蓄積情報に基づいて前記鼓動情報の異常を判断する判断手段と、
個人蓄積情報と前記鼓動情報との差異を表示して鼓動情報の異常を報知する報知手段とを備えていることを特徴とする温水システム。
【請求項６】
蓄積手段が操作者毎に収集された個人蓄積情報を記憶する記憶手段を有し、当該記憶手段への個人蓄積情報の記憶に先立って操作者の再確認を行うことを特徴とする請求項１乃至５のいずれかに記載の温水システム。
【請求項７】
蓄積手段が操作者毎に収集された個人蓄積情報を記憶する記憶手段を有し、
個人特定手段は、音声入力手段に入力された音声情報に基づいて操作者を仮特定する仮特定動作を行った後、仮特定動作によって特定された特定情報を操作者に対して報知する報知動作と、報知動作に対応して入力された音声情報に基づいて仮特定動作の正誤を判断し、仮特定動作による操作者の特定が正確であることを条件として記憶手段への個人蓄積情報の記憶を開始することを特徴とする請求項１乃至５のいずれかに記載の温水システム。
【請求項８】
浴槽と、
浴槽に入浴する入浴者を特定する個人特定手段と、
入浴者の心臓の鼓動に関する鼓動情報を検知する検知手段と、
鼓動情報を入浴者および当該入浴者に作用する負荷に応じて記憶して個人蓄積情報を形成する蓄積手段と、
前記入浴者に関する個人蓄積情報に基づいて前記鼓動情報の判断を行う判断手段とを備えていることを特徴とする温水システム。
【請求項９】
浴槽と、
浴槽に入浴する入浴者を特定する個人特定手段と、
入浴者の心臓の鼓動に関する鼓動情報を検知する検知手段と、
鼓動情報を入浴者および当該入浴者に作用する負荷に応じて記憶して個人蓄積情報を形成する蓄積手段と、
前記入浴者に関する個人蓄積情報に基づいて前記鼓動情報の判断を行う判断手段と、
入浴者に作用する負荷を調整する負荷調整手段とを具備していることを特徴とする温水システム。
【請求項１０】
浴槽と、
浴槽に入浴する入浴者を特定する個人特定手段と、
入浴者の心臓の鼓動に関する鼓動情報を検知する検知手段と、
入浴により入浴者に作用する負荷を導出する負荷導出手段と、
負荷導出手段によって導出された負荷に応じて鼓動情報を入浴者毎に記憶して個人蓄積情報を形成する蓄積手段と、
前記入浴者に関する個人蓄積情報に基づいて前記鼓動情報の判断を行う判断手段と、
前記負荷導出手段は、浴槽内の水温及び／又は入浴に伴う浴槽内の水位変化に基づいて負荷を算出することを特徴とする温水システム。
【請求項１１】
浴槽と、
浴槽に入浴する入浴者を特定する個人特定手段と、
入浴者の心臓の鼓動に関する鼓動情報を検知する検知手段と、
入浴により入浴者に作用する負荷を導出する負荷導出手段と、
負荷導出手段によって導出された負荷に応じて鼓動情報を入浴者毎に記憶して個人蓄積情報を形成する蓄積手段と、
前記入浴者に関する個人蓄積情報に基づいて前記鼓動情報の判断を行う判断手段と、
入浴者の入浴状況を検知する入浴状況検知手段とを具備しており、
前記負荷導出手段は、入浴状況検知手段の検知情報および浴槽内の水温に基づいて負荷を算出することを特徴とする温水システム。
【請求項１２】
浴槽と、
浴槽に入浴する入浴者を特定する個人特定手段と、
入浴者の心臓の鼓動に関する鼓動情報を検知する検知手段と、
入浴に伴って入浴者に作用する負荷に応じて鼓動情報を入浴者毎に記憶して個人蓄積情報を形成する蓄積手段と、
前記入浴者に関する個人蓄積情報に基づいて前記鼓動情報の判断を行う判断手段とを備えており、
鼓動情報の検知前に検知条件を報知することを特徴とする温水システム。
【請求項１３】
蓄積手段は、浴槽内の水温に基づいて導出される負荷に応じて鼓動情報を蓄積することを特徴とする請求項８乃至１２のいずれかに記載の温水システム。
【請求項１４】
蓄積手段は、入浴に伴う浴槽内の水位変化に基づいて導出される負荷に応じて鼓動情報を蓄積することを特徴とする請求項８乃至１３のいずれかに記載の温水システム。
【請求項１５】
入浴者の入浴状況を検知する入浴状況検知手段を有し、
蓄積手段は、入浴状況検知手段による検知情報に基づいて導出される負荷に応じて鼓動情報を蓄積することを特徴とする請求項８乃至１４のいずれかに記載の温水システム。
【請求項１６】
入浴者に作用する負荷を調整する負荷調整手段を有し、当該負荷調整手段は、鼓動情報の検知に必要とされる負荷に応じて浴槽内の水温を調整することを特徴とする請求項８乃至１５のいずれかに記載の温水システム。
【請求項１７】
入浴者の発する音声情報が入力される音声入力手段を有し、個人特定手段は音声入力手段に入力された音声情報に基づいて入浴者を特定することを特徴とする請求項８乃至１６のいずれかに記載の温水システム。
【請求項１８】
音声入力手段を介して入力された音声情報に基づいて操作可能な温水機器を有し、個人特定手段は音声入力手段に入力された音声情報に基づいて入浴者を特定することを特徴とする請求項８乃至１７のいずれかに記載の温水システム。
【請求項１９】
浴槽と、
浴槽に入浴する入浴者を特定する個人特定手段と、
入浴者の心臓の鼓動に関する鼓動情報を検知する検知手段と、
鼓動情報を入浴者に応じて記憶して個人蓄積情報を形成する蓄積手段と、
前記鼓動情報の判断を行う判断手段とを備え、
前記検知手段は、入浴者の入浴中に所定時間にわたって鼓動情報の検知動作を行うものであり、
前記判断手段は、連続的または断続的に複数回行われる検知動作において検知される鼓動情報の変化と、蓄積手段に記憶された個人蓄積情報とを参酌して鼓動情報の判断を行うことを特徴とする温水システム。
【請求項２０】
浴槽と、
浴槽に入浴する入浴者を特定する個人特定手段と、
入浴者の心臓の鼓動に関する鼓動情報を検知する検知手段と、
鼓動情報を入浴者に応じて記憶して個人蓄積情報を形成する蓄積手段と、
前記鼓動情報の判断を行う判断手段とを備え、
前記検知手段は、入浴者の入浴中に所定時間にわたって鼓動情報の検知動作を行うものであり、
前記判断手段は、連続的または断続的に複数回行われる一連の検知動作中に検知される鼓動情報の変化を参酌して鼓動情報の判断を行うことを特徴とする温水システム。
【請求項２１】
浴槽と、
浴槽に入浴する入浴者を特定する個人特定手段と、
入浴者の心臓の鼓動に関する鼓動情報を検知する検知手段と、
鼓動情報に関する情報を入浴者および当該入浴者に作用する負荷に応じて記憶して個人蓄積情報を形成する蓄積手段と、
前記入浴者に関する個人蓄積情報に基づいて前記鼓動情報の判断を行う判断手段とを備えており、
鼓動情報の検知を所定時間に渡って一回だけ行う静止モードと、
所定時間に渡る鼓動情報の検知を複数回、断続的あるいは連続的に行う負荷モードとから選択して動作可能であり、
鼓動情報の検知方法として静止モードが選択された場合は、判断手段が、前記検知手段にて検知された今回の鼓動情報の内容を、前記蓄積手段に個人蓄積情報として蓄積された前記入浴者の過去の鼓動情報に基づいて判断を下し、前記検知手段にて検知された今回の鼓動情報と判断手段が下した判断の双方あるいはいずれか一方が蓄積手段に蓄積され、
鼓動情報の検知方法として負荷モードが選択された場合は、前記検知手段によって複数回検知された今回の鼓動情報の変化内容と、前記蓄積手段に個人蓄積情報として蓄積された前記入浴者の過去の鼓動情報の変化内容に基づいて判断を下し、前記検知手段にて検知された今回の鼓動情報、当該鼓動情報の変化内容、並びに、判断手段が下した判断の少なくともいずれかが蓄積手段に蓄積されることを特徴とする温水システム。
【請求項２２】
浴槽と、
浴槽に入浴する入浴者を特定する個人特定手段と、
入浴者の心臓の鼓動に関する鼓動情報を検知する検知手段と、
鼓動情報を入浴者および当該入浴者に作用する負荷に応じて記憶して個人蓄積情報を形成する蓄積手段と、
前記入浴者に関する個人蓄積情報に基づいて前記鼓動情報の判断を行う判断手段とを備えており、
入浴条件が所定の条件となってから鼓動情報を検知する詳細モードと、
入浴条件が任意に設定された条件となってから鼓動情報を検知する任意モードとから選択して動作可能であり、
鼓動情報の検知方法として詳細モードが選択された場合は、
判断手段が、前記蓄積手段に個人蓄積情報として蓄積された前記入浴者の過去の鼓動情報に基づいて前記検知手段にて検知された今回の鼓動情報の内容に関する判断を下し、前記検知手段にて検知された今回の鼓動情報と判断手段が下した判断の双方あるいはいずれか一方が蓄積手段に蓄積され、
鼓動情報の検知方法として任意モードが選択された場合は、
判断手段が、入浴条件と、前記蓄積手段に個人蓄積情報として蓄積された前記入浴者の過去の鼓動情報とに基づいて前記検知手段にて検知された今回の鼓動情報に関する判断を下し、前記検知手段にて検知された今回の鼓動情報と判断手段が下した判断の双方あるいはいずれか一方が蓄積手段に蓄積されることを特徴とする温水システム。
【請求項２３】
浴槽と、
音声情報に基づいて操作され、浴槽内の湯水の加熱を行う温水機器と、
当該温水機器の操作を行うための音声入力手段と、
当該音声入力手段に入力された音声情報に基づいて入浴者を特定する個人特定手段と、
入浴者の心臓の鼓動に関する鼓動情報を検知する検知手段と、
入浴者に作用する負荷を調整する負荷調整手段と、
鼓動情報を入浴者および当該入浴者に作用する負荷に応じて記憶して個人蓄積情報を形成する蓄積手段と、
前記入浴者に関する個人蓄積情報に基づいて前記鼓動情報の判断を行う判断手段とを備えており、
検知手段による鼓動情報の検知方法を
鼓動情報の検知を所定時間に渡って一回だけ行う静止モードと、
所定時間に渡る鼓動情報の検知を複数回、断続的あるいは連続的に行う負荷モードとから選択して動作可能であり、
負荷モードが選択された場合は、鼓動情報の検知方法を
入浴条件が所定の条件となってから鼓動情報を検知する詳細測定法と、
入浴条件が任意に設定された条件となってから鼓動情報を検知する任意測定法とから選択可能であり、
鼓動情報の検知方法として静止測定法が選択された場合は、判断手段が、前記検知手段にて検知された今回の鼓動情報の内容を、前記蓄積手段に個人蓄積情報として蓄積された前記入浴者の過去の鼓動情報に基づいて判断を下し、前記検知手段にて検知された今回の鼓動情報と判断手段が下した判断の双方あるいはいずれか一方が蓄積手段に蓄積され、
鼓動情報の検知方法として負荷モードが選択され、鼓動情報の検知方法として詳細測定法が選択された場合は、
判断手段が、前記蓄積手段に個人蓄積情報として蓄積された前記入浴者の過去の鼓動情報に基づいて前記検知手段にて検知された今回の鼓動情報の内容に関する判断を下し、前記検知手段にて検知された今回の鼓動情報と判断手段が下した判断の双方あるいはいずれか一方が蓄積手段に蓄積され、
鼓動情報の検知方法として負荷モードが選択され、鼓動情報の検知方法として任意測定法が選択された場合は、
判断手段が、入浴条件と、前記蓄積手段に個人蓄積情報として蓄積された前記入浴者の過去の鼓動情報とに基づいて前記検知手段にて検知された今回の鼓動情報に関する判断を下し、前記検知手段にて検知された今回の鼓動情報と判断手段が下した判断の双方あるいはいずれか一方が蓄積手段に蓄積されることを特徴とする温水システム。
【請求項２４】
検知手段は、少なくとも心拍あるいは脈拍のいずれか、若しくは双方を検知するものであることを特徴とする請求項１乃至２３のいずれかに記載の温水システム。
【請求項２５】
検知手段は、心電図を検知するものであることを特徴とする請求項１乃至２４のいずれかに記載の温水システム。
【発明の詳細な説明】
【技術分野】
【０００１】
本発明は、入浴時に心拍や心電図等の心臓の鼓動に関するデータを収集可能な温水システムに関する。
【背景技術】
【０００２】
従来より、下記特許文献１，２に示すように、入浴者の心電図や心拍数を測定できる温水システムがある。
【特許文献１】特開２００３−１４４４０４号公報
【特許文献２】特開２００３−１４４４０５号公報
【０００３】
上記したような温水システムでは、浴槽に取り付けられた２つの電極により入浴者の振動の鼓動によって発生する電位差が検出され、この電位差に基づいて入浴者の心電図や心拍数が導出される。そのため、特許文献１，２に開示されている温水システムによれば、特別な操作を行ったり測定器具を体に装着したりしなくても心電図や心拍数を測定でき、被験者たる入浴者は、浴槽内に入浴するだけでよい。
【発明の開示】
【発明が解決しようとする課題】
【０００４】
心電図や心拍数などの心臓の鼓動に関するデータは、入浴者の体格、体質等のような入浴者の特徴によって変動するものである。また、心臓の鼓動に関するデータは、入浴時の水温や、姿勢、湯へのつかり具合等のような測定条件にも大きく左右される。特許文献１，２の温水システムにおいて測定される心電図や心拍数などのデータは、入浴者毎の特徴や測定条件が加味されたものではなく、測定結果の精度が安定しないおそれがあった。
【０００５】
心電図や心拍数のような心臓の鼓動に関するデータの精度を向上させるためには、入浴者に作用する運動負荷を段階的に変化させて測定を行うことが望ましい。しかし、従来技術の温水システムのように、浴槽内に電極等を設置して心臓の鼓動に関する情報を検知する場合は、入浴者が浴槽内で動いたり、浴槽内の湯水が脈打つと検知精度が低下してしまうという問題があった。そのため、従来技術の温水システムでは、入浴者に対して作用する運動負荷を変化させて心電図や心拍数を測定することが困難であり、測定結果の精度がさほど高くないという問題があった。
【０００６】
そこで、本発明は、入浴者毎の特徴や測定条件を考慮した上で心臓の鼓動に関するデータを測定可能な温水システムの提供を目的とする。
【課題を解決するための手段】
【０００７】
そこで、上記した課題を解決すべく提供される請求項１に記載の発明は、音声情報に基づいて温水機器を操作可能な温水システムであって、音声情報を入力する音声入力手段と、音声入力手段に入力された音声情報に基づいて操作者を特定する個人特定手段と、操作者の心臓の鼓動に関する鼓動情報を検知する検知手段と、操作者毎に鼓動情報を蓄積して個人蓄積情報を形成する蓄積手段と、前記操作者に関する個人蓄積情報に基づいて前記鼓動情報の判断を行う判断手段とを備えていることを特徴とする温水システムである。
【０００８】
本発明の温水システムにおいて、個人特定手段は、温水機器の操作の際に入力される音声情報に基づいて操作者を特定するものであり、操作者は特別な操作を行う必要がない。そのため、個人特定手段は、操作ミス等による操作者の誤認を起こさない。
【０００９】
蓄積手段に蓄積される個人蓄積情報は、検知手段によって収集された鼓動情報を操作者毎に蓄積したものであり、各操作者の体質や特徴を反映した極めて精度の高い情報である。本発明の温水システムは、操作者の個人蓄積情報に基づいて判断手段が鼓動情報の判断を行うため、この判断結果の精度が良く信頼性が高い。
【００１０】
また、請求項２に記載の発明は、音声情報に基づいて温水機器を操作可能な温水システムであって、温水機器の操作を行うための音声情報を入力する音声入力手段と、音声入力手段に入力された音声情報に基づいて操作者を特定する個人特定手段と、操作者の心臓の鼓動に関する鼓動情報を検知する検知手段と、操作者毎に鼓動情報を蓄積して個人蓄積情報を形成する蓄積手段と、前記操作者に関する個人蓄積情報と前記鼓動情報との差異を報知する報知手段とを備えていることを特徴とする温水システムである。
【００１１】
本発明の温水システムにおいても、温水機器の操作の際に操作者が発する音声情報に基づいて操作者が特定され、各操作者毎の鼓動情報を蓄積した個人蓄積情報が構築される。操作者の特定は音声に基づいて行われ、操作者の特別な操作を伴わない。また、個人蓄積情報は、操作者毎に構築された情報であり、操作者の体質や特徴を反映したものである。そのため、本発明の温水システムでは、個人蓄積情報の信頼性が極めて高い。
【００１２】
本発明の温水システムは、操作者の過去の鼓動情報を蓄積した個人蓄積情報と、現在の鼓動情報との差異を報知する報知手段を具備しており、操作者に自身の健康状態を通知できる。従って、本発明によれば、普段と現状との鼓動情報の差異を容易かつ精度良く操作者に伝達できる。
【００１３】
請求項３に記載の発明は、音声情報に基づいて温水機器を操作可能な温水システムであって、温水機器の操作を行うための音声情報を入力する音声入力手段と、音声入力手段に入力された音声情報に基づいて操作者を特定する個人特定手段と、操作者の心臓の鼓動に関する鼓動情報を検知する検知手段と、操作者毎に鼓動情報を蓄積して個人蓄積情報を形成する蓄積手段と、前記個人蓄積情報に基づいて導出された鼓動情報の経時変化を示す基準波形、並びに、検知手段で検知されている鼓動情報の経時変化を示す鼓動波形を表示する報知手段とを備えており、鼓動波形は、基準波形との差異に応じて異なる色で表示されることを特徴とする温水システムである。
【００１４】
本発明の温水システムでは、温水機器の操作の際に入力される音声情報によって特定された操作者毎に蓄積手段に鼓動情報が蓄積され、個人蓄積情報が構築される。個人蓄積情報は、操作者毎に個別に構築されるため、操作者の体格や体質等の影響を踏まえた信頼性の高い情報である。
【００１５】
本発明の温水システムでは、個人蓄積情報に基づいて導出される基準波形と、検知手段で検知されている鼓動情報に基づいて導出される鼓動波形とが報知手段に表示される。ここで表示される基準波形は、各入浴者について過去に測定された鼓動情報に基づくものであるため、各操作者の体格や体質等の特徴が考慮されたものである。本発明の温水システムでは、報知手段に基準波形と鼓動波形とが表示され、鼓動波形が基準波形との差異に応じて異なる色で表示されるため、操作者は自身の体調の変化を直観的に知ることができる。
【００１６】
請求項４に記載の発明は、音声情報に基づいて温水機器を操作可能な温水システムであって、温水機器の操作を行うための音声情報を入力する音声入力手段と、音声入力手段に入力された音声情報に基づいて操作者を特定する個人特定手段と、操作者の心臓の鼓動に関する鼓動情報を検知する検知手段と、操作者毎に鼓動情報を蓄積して個人蓄積情報を形成する蓄積手段と、前記操作者に関する個人蓄積情報に基づいて前記鼓動情報の異常を判断する判断手段と、当該判断手段による判断結果を報知する報知手段とを備えていることを特徴とする温水システムである。
【００１７】
本発明の温水システムは、温水機器の操作の際に操作者が発する音声情報によって操作者を特定するため、操作者が特別な操作をする必要がないばかりか、誤操作に伴う操作者の誤認を防止できる。そのため、本発明の温水システムでは、蓄積手段に蓄積される個人蓄積情報に誤って他人の鼓動情報が蓄積されるおそれが無く、個人蓄積情報の信憑性が高い。
【００１８】
本発明の温水システムは、音声情報により識別された操作者毎に鼓動情報を蓄積して構築された個人蓄積情報に基づき、判断手段が鼓動情報の異常を判断し、操作者に報知する。個人蓄積情報は、操作者自身の過去の鼓動情報に基づくものであり、操作者の体格や体質等の心臓の鼓動に影響を与える要素を踏まえた情報である。そのため、本発明によれば、操作者は容易に信憑性の高い判断結果を得ることができる。
【００１９】
請求項５に記載の発明は、音声情報に基づいて温水機器を操作可能な温水システムであって、温水機器の操作を行うための音声情報を入力する音声入力手段と、音声入力手段に入力された音声情報に基づいて操作者を特定する個人特定手段と、操作者の心臓の鼓動に関する鼓動情報を検知する検知手段と、操作者毎に鼓動情報を蓄積して個人蓄積情報を形成する蓄積手段と、前記操作者に関する個人蓄積情報に基づいて前記鼓動情報の異常を判断する判断手段と、個人蓄積情報と前記鼓動情報との差異を表示して鼓動情報の異常を報知する報知手段とを備えていることを特徴とする温水システムである。
【００２０】
本発明の温水システムは、音声入力手段に入力された音声情報によって温水機器の操作者を特定するものである。そのため、本温水システムによれば、誤操作による操作者の誤認が起こらず、特定の操作者の個人蓄積情報と他の操作者の個人蓄積情報との混同を確実に防止し、個人蓄積情報の信憑性を確保できる。
【００２１】
本発明の温水システムにおいて、判断手段による鼓動情報の判断は、個人蓄積情報に基づいて行われる。個人蓄積情報は、過去に検知された鼓動情報を各操作者毎に蓄積したものであるため、体格や体質等の各操作者の特徴を反映した情報である。従って、本発明の温水システムによれば、各操作者の健康管理や潜在的な心臓疾患や体力レベルの判定等に有効な程度に信憑性の高い判断結果を提供できる。
【００２２】
請求項６に記載の発明は、蓄積手段が操作者毎に収集された個人蓄積情報を記憶する記憶手段を有し、当該記憶手段への個人蓄積情報の記憶に先立って操作者の再確認を行うことを特徴とする請求項１乃至５のいずれかに記載の温水システムである。
【００２３】
また、同様の課題を解決すべく提供される請求項７に記載の発明は、蓄積手段が操作者毎に収集された個人蓄積情報を記憶する記憶手段を有し、個人特定手段は、音声入力手段に入力された音声情報に基づいて操作者を仮特定する仮特定動作を行った後、仮特定動作によって特定された特定情報を操作者に対して報知する報知動作を行い、報知動作に対応して入力された音声情報に基づいて仮特定動作の正誤を判断し、仮特定動作による操作者の特定が正確であることを条件として記憶手段への個人蓄積情報の記憶を開始することを特徴とする請求項１乃至５のいずれかに記載の温水システムである。
【００２４】
かかる構成によれば、検知手段によって検知される操作者の鼓動情報が、誤って他人の個人蓄積情報に記憶されることを未然に防止できる。従って、本発明によれば個人蓄積情報および当該個人蓄積情報に基づいて出される判断手段の判断結果の信憑性をより一層向上できる。
【００２５】
一般的に、被験者の潜在的な心臓疾患の検出や体力レベルを判定するためには、心臓に負荷をかけた状態で収集された鼓動情報に基づいて判断を行うことが望ましいとされている。この様な観点から、病院等では被験者に室内ランニング装置上を走行させて心電図等の鼓動情報を収集する「トレッドミル運動負荷試験」や「ウォーキングテスト」と称される検査が行われている。この種の検査の精度を向上させ、被験者の心臓疾患等を早期に発見するためには、各被験者に特有の体質等の特徴や、日常的な鼓動情報の推移等を考慮することが望ましい。しかし、トレッドミル運動負荷試験のように運動負荷をかけた状態での鼓動情報の収集を行うためには、大がかりな装置を必要し、病院等のようなごく限られた施設で検査せざるを得ない。そのため、現状では、運動負荷をかけた状態での鼓動情報に基づく検査を行う際に、被験者の特徴や日常的な鼓動情報の推移まで考慮することが極めて困難である。
【００２６】
また、老人や体の不自由な人のように、運動を行うことが困難な人たちは、病院等に出向くことが困難であるばかりか、トレッドミル運動負荷試験においてなされる運動を満足にこなせないおそれがある。そのため、トレッドミル運動負荷試験のような従来の検査は、被験者に大幅な制限がある。
【００２７】
かかる問題を解決すべく提供される請求項８に記載の発明は、浴槽と、浴槽に入浴する入浴者を特定する個人特定手段と、入浴者の心臓の鼓動に関する鼓動情報を検知する検知手段と、鼓動情報を入浴者および当該入浴者に作用する負荷に応じて記憶して個人蓄積情報を形成する蓄積手段と、前記入浴者に関する個人蓄積情報に基づいて前記鼓動情報の判断を行う判断手段とを備えていることを特徴とする温水システムである。
【００２８】
本発明の温水システムでは、入浴者は入浴に伴って一定の運動負荷を受けている。そのため、本発明の温水システムによれば、大がかりな装置を用いたり、病院等の特定の施設に出向かなくても、入浴するだけで運動負荷がかかった状態での鼓動情報の収集を行える。また、本発明の温水システムでは、ごく日常的に行われる入浴の際に鼓動情報の収集が行われるため、老人や体の不自由な人たちであっても運動負荷がかかった状態での鼓動情報の収集を容易に行える。
【００２９】
本発明の温水システムでは、個人特定手段によって入浴者が特定され、各入浴者の鼓動情報がそれぞれ別の個人蓄積情報として蓄積される。個人蓄積情報は、入浴という日常的な作業中に収集されるものであるため、入浴者に特有の体質等の特徴や、日常的な鼓動情報の推移等が考慮された情報であり、鼓動情報の判断の指標として最適な情報である。また、本発明の温水システムは、被験者たる入浴者が入浴によりリラックスした状態で鼓動情報を検知するものであるため、検知された鼓動情報は安定性が高く、信憑性の高い情報である。従って、本発明によれば、入浴することにより入浴者の心臓に負荷をかけた状態での鼓動情報を日常的に得ることができると共に、判断手段による判断精度が高く、潜在的な心臓疾患の早期発見や正確な体力レベルの判定等が可能な温水システムを提供できる。
【００３０】
ここで、上記温水システムの判断手段による判断精度等をより一層向上させるためには、入浴者に作用する負荷を調整し、様々な条件下で検知された鼓動情報に基づいて判断されることが望ましい。
【００３１】
そこで、かかる課題を解決すべく提供される請求項９に記載の発明は、浴槽と、浴槽に入浴する入浴者を特定する個人特定手段と、入浴者の心臓の鼓動に関する鼓動情報を検知する検知手段と、鼓動情報を入浴者および当該入浴者に作用する負荷に応じて記憶して個人蓄積情報を形成する蓄積手段と、前記入浴者に関する個人蓄積情報に基づいて前記鼓動情報の判断を行う判断手段と、入浴者に作用する負荷を調整する負荷調整手段とを具備していることを特徴とする温水システムである。
【００３２】
本発明の温水システムは、負荷調整手段を有するため、入浴に伴って入浴者に作用する負荷を調整し、これによる鼓動情報の変動を検知することができる。そのため、本発明によれば、運動負荷を様々に変化させた状態での鼓動情報の収集を行える。
【００３３】
本発明の温水システムでは、入浴者毎の個人蓄積情報が負荷の変動に応じて形成されている。そのため、個人蓄積情報は、入浴者に特有の体質等の特徴や、日常的な鼓動情報の推移等に加えて、負荷変動に伴う鼓動情報の推移まで考慮された情報である。従って、本発明によれば、判断手段による鼓動情報の判断精度が極めて高く、潜在的な心臓疾患の発見や体力レベルの判定等の精度が高い温水システムを提供できる。
【００３４】
請求項１０に記載の発明は、浴槽と、浴槽に入浴する入浴者を特定する個人特定手段と、
入浴者の心臓の鼓動に関する鼓動情報を検知する検知手段と、入浴により入浴者に作用する負荷を導出する負荷導出手段と、負荷導出手段によって導出された負荷に応じて鼓動情報を入浴者毎に記憶して個人蓄積情報を形成する蓄積手段と、前記入浴者に関する個人蓄積情報に基づいて前記鼓動情報の判断を行う判断手段と、入浴者に作用する負荷を調整する負荷調整手段とを具備しており、前記負荷導出手段は、浴槽内の水温および入浴に伴う浴槽内の水位変化に基づいて負荷を算出することを特徴とする温水システムである。
【００３５】
本発明の温水システムは、浴槽内の湯温調整や水位調整により入浴者に作用する負荷を調整可能であるが、入浴者に実際に作用する負荷は、浴槽内の水温や、入浴者の入浴状態に依存して変動する。本発明の温水システムは、水温や入浴状態による負荷の違いを考慮すべく、負荷導出手段によって入浴者に作用する負荷を算出し、これにより導出された負荷に応じて鼓動情報を記憶して個人蓄積情報を形成する構成となっている。従って、本発明の温水システムは、鼓動情報の判断基準となる個人蓄積情報の信頼性が極めて高い。
【００３６】
本発明の温水システムは、入浴時に鼓動情報を検知することができるため、大がかりな装置を用いたり、病院等の特定の施設に出向かなくてもよい。また、本発明の温水システムは、入浴の際に鼓動情報を検知するものであるため、個人蓄積情報は、日常的な鼓動情報の推移を的確に検知し、入浴者の体質や体型等の特徴が加味された情報である。従って、本発明の温水システムによれば、入浴者は、手間をかけずに精度の高い鼓動情報の収集やこの情報に基づく健康管理等を行える。
【００３７】
請求項１１に記載の発明は、浴槽と、浴槽に入浴する入浴者を特定する個人特定手段と、入浴者の心臓の鼓動に関する鼓動情報を検知する検知手段と、入浴により入浴者に作用する負荷を導出する負荷導出手段と、負荷導出手段によって導出された負荷に応じて鼓動情報を入浴者毎に記憶して個人蓄積情報を形成する蓄積手段と、前記入浴者に関する個人蓄積情報に基づいて前記鼓動情報の判断を行う判断手段と、入浴者の入浴状況を検知する入浴状況検知手段とを具備しており、前記負荷導出手段は、入浴状況検知手段の検知情報および浴槽内の水温に基づいて負荷を算出することを特徴とする温水システムである。
【００３８】
本発明の温水システムは、入浴時に入浴者に作用する負荷と鼓動情報との関係に基づいて判断手段が所定の判断を下すものであるため、入浴者に作用する負荷（入浴負荷）を正確に把握できるか否かが判断手段による判断の精度に大きな影響を与える。入浴者に作用する負荷は、浴槽内の水温や、入浴者の入浴状態に大きく依存している。さらに具体的には、入浴負荷の大小は、例えば水温の高低や、入浴者の体がどの部分まで湯につかっているかによって変動する。
【００３９】
本発明の温水システムでは、浴槽内の水温と、入浴状況検知手段により検知された入浴者の入浴状態とに基づいて入浴負荷が算出される。また、本発明の温水システムでは、入浴負荷と鼓動情報との相関関係が入浴者毎に記憶され、個人蓄積情報が形成される。そのため、各入浴者毎に蓄積された個人蓄積情報は、入浴負荷と鼓動情報との相関関係が正確に反映されると共に、各入浴者の体格や体質が考慮された精度の高い情報である。
【００４０】
本発明の温水システムは、上記したように精度の高い鼓動情報や個人蓄積情報に基づいて判断手段が所定の判断を出すものである。また、本発明の温水システムは、入浴によりリラックスした状態で鼓動情報を検知するものであるため、検知手段によって検知される鼓動情報の信頼性も高い。そのため、判断手段が出す判断は、極めて信頼性が高く、入浴者の健康管理に有効な情報である。
【００４１】
請求項１２に記載の発明は、浴槽と、浴槽に入浴する入浴者を特定する個人特定手段と、入浴者の心臓の鼓動に関する鼓動情報を検知する検知手段と、入浴に伴って入浴者に作用する負荷に応じて鼓動情報を入浴者毎に記憶して個人蓄積情報を形成する蓄積手段と、前記入浴者に関する個人蓄積情報に基づいて前記鼓動情報の判断を行う判断手段とを備えており、鼓動情報の検知前に検知条件を報知することを特徴とする温水システムである。
【００４２】
本発明の温水システムは、浴槽内に入浴した状態で鼓動情報を検知するものであるため、鼓動情報を正確に検知するためには、検知動作中は入浴状態を維持しておかねばならない等の一定の制約が発生する。本発明の温水システムでは、鼓動情報の検知前に検知条件が報知される。そのため、例えば鼓動情報の検知動作中に入浴者が浴槽から出るなどして発生する検知不良を未然に防止できる。
【００４３】
本発明の温水システムは、上記したものと同様に入浴者に一定の入浴負荷を与えた状態で鼓動情報を収集できる。さらに、本発明の温水システムでは、鼓動情報が各入浴者毎に個別の個人蓄積情報として蓄積手段に蓄積される。
【００４４】
本発明の温水システムは、入浴中に鼓動情報の収集を行えるため、鼓動情報を日常的に収集することによって入浴者に特有の体質等の特徴や、鼓動情報の推移等の情報が蓄積された信憑性が高く詳細な個人蓄積情報が蓄積手段に形成される。また、鼓動情報は、入浴によりリラックスした状態で検知されるため、安定性が高く正確な情報である。従って、本発明によれば、判断手段による判断精度が高く、潜在的な心臓疾患や正確な体力レベル等を正確に検知可能な温水システムを提供できる。
【００４５】
上記請求項７乃至１１に記載の温水システムは、いずれも入浴負荷を作用させた状態で鼓動情報を検知するものであるが、鼓動情報は入浴負荷の大小如何で変動してしまうおそれがある。そのため、判断手段の出す判断の信頼性をより一層向上させるためには、判断の指標となる個人蓄積情報を入浴負荷に応じて鼓動情報を蓄積したものとすることが望ましい。
【００４６】
かかる知見に基づいて提供される請求項１３に記載の発明は、蓄積手段が、浴槽内の水温に基づいて導出される負荷に応じて鼓動情報を蓄積することを特徴とする請求項８乃至１２のいずれかに記載の温水システムである。
【００４７】
また、請求項１４に記載の発明は、蓄積手段が、入浴に伴う浴槽内の水位変化に基づいて導出される負荷に応じて鼓動情報を蓄積することを特徴とする請求項８乃至１３のいずれかに記載の温水システムである。
【００４８】
請求項１５に記載の発明は、入浴者の入浴状況を検知する入浴状況検知手段を有し、蓄積手段が、入浴状況検知手段による検知情報に基づいて導出される負荷に応じて鼓動情報を蓄積することを特徴とする請求項８乃至１４のいずれかに記載の温水システムである。
【００４９】
上記した温水システムにおいて、入浴者に作用する負荷は、浴槽内の水温や、入浴者の入浴状態に依存している。従って、上記請求項１２〜１４に記載の温水システムのように浴槽内の水温や、水位変化、入浴者の入浴状況に基づいて負荷を導出し、この負荷に応じて鼓動情報を蓄積することにより判断手段が出す判断の信頼性をより一層向上させることができる。
【００５０】
請求項１６に記載の発明は、入浴者に作用する負荷を調整する負荷調整手段を有し、当該負荷調整手段が、鼓動情報の検知に必要とされる負荷に応じて浴槽内の水温を調整することを特徴とする請求項８乃至１５のいずれかに記載の温水システムである。
【００５１】
かかる構成によれば、入浴者に所定の負荷を与えた状態で鼓動情報の検知を行える。即ち、本発明によれば、鼓動情報の検知条件たる入浴負荷を所定の条件とした状態で個人蓄積情報の蓄積および判断手段による鼓動情報の判断を行える。従って、本発明によれば、鼓動情報の検知精度および判断手段の判断精度をより一層安定化できる。
【００５２】
請求項１７に記載の発明は、入浴者の発する音声情報が入力される音声入力手段を有し、個人特定手段が音声入力手段に入力された音声情報に基づいて入浴者を特定することを特徴とする請求項８乃至１６のいずれかに記載の温水システムである。
【００５３】
また、同様の課題を解決すべく提供される請求項１８に記載の発明は、音声入力手段を介して入力された音声情報に基づいて操作可能な温水機器を有し、個人特定手段が音声入力手段に入力された音声情報に基づいて入浴者を特定することを特徴とする請求項８乃至１７のいずれかに記載の温水システムである。
【００５４】
上記請求項８乃至１６に記載の温水システムは、いずれも個人特定手段によって特定された入浴者毎に個人蓄積情報が形成され、この個人蓄積情報を指標として鼓動情報の判断がなされる。上記温水システムにおいて、個人蓄積情報の信頼性は、鼓動情報の判断精度の信頼性に直結するものである。そのため、入浴者が個人特定手段を誤操作するなどして、ある特定の入浴者に関する個人蓄積情報に、別の入浴者の鼓動情報が蓄積されてしまうと、それまで蓄積されてきた個人蓄積情報の信頼性が損なわれ、鼓動情報の判断精度が低下してしまうおそれがある。
【００５５】
本発明の温水システムは、個人特定手段が音声入力手段に入力された音声情報に基づいて入浴者を特定するものである。そのため、本発明によれば、入浴者の誤操作等による個人蓄積情報の取り違い等を未然に防止できる。
【００５６】
請求項１９に記載の発明は、浴槽と、浴槽に入浴する入浴者を特定する個人特定手段と、入浴者の心臓の鼓動に関する鼓動情報を検知する検知手段と、鼓動情報を入浴者に応じて記憶して個人蓄積情報を形成する蓄積手段と、前記鼓動情報の判断を行う判断手段とを備え、前記検知手段は、入浴者の入浴中に所定時間にわたって鼓動情報の検知動作を行うものであり、前記判断手段は、連続的または断続的に複数回行われる検知動作において検知される鼓動情報の変化と、蓄積手段に記憶された個人蓄積情報とを参酌して鼓動情報の判断を行うことを特徴とする温水システムである。
【００５７】
本発明の温水システムでは、鼓動情報の検知動作が、入浴によって負荷（入浴負荷）が作用した状態で所定時間に渡って行われる。そのため、本発明の温水システムによって鼓動情報の検知動作を行うと、入浴者の体力が検知動作の開始から時間がたつにつれて消耗され、鼓動情報が徐々に変動する。従って、本発明の温水システムによって検知される鼓動情報の変化は、入浴者個人の体力や体質を反映したものであり、この変化に基づいて入浴者の鼓動情報の判断を精度良く行える。
【００５８】
上記したように、個人蓄積情報は、過去に検知された鼓動情報を反映した情報を入浴者毎に蓄積したものであり、各入浴者の体力や体質を反映したものである。本発明の温水システムは、検知動作により検出される鼓動情報の変化と、蓄積手段に記憶された個人蓄積情報とを参酌して鼓動情報の判断を行うものであるため、鼓動情報の判断精度が極めて高い。
【００５９】
請求項２０に記載の発明は、浴槽と、浴槽に入浴する入浴者を特定する個人特定手段と、入浴者の心臓の鼓動に関する鼓動情報を検知する検知手段と、鼓動情報を入浴者に応じて記憶して個人蓄積情報を形成する蓄積手段と、前記鼓動情報の判断を行う判断手段とを備え、前記検知手段は、入浴者の入浴中に所定時間にわたって鼓動情報の検知動作を行うものであり、前記判断手段は、連続的または断続的に複数回行われる一連の検知動作中に検知される鼓動情報の変化を参酌して鼓動情報の判断を行うことを特徴とする温水システムである。
【００６０】
一般的に、入浴を行うと、これによる負荷（入浴負荷）が入浴者に作用するため、入浴者の体力が徐々に消耗され、心臓の鼓動状態が変化する。また、入浴中における鼓動状態の変化の程度は、入浴者の体調や体質に依存して変動する。本発明の温水システムは、一連の検知動作中に検知される鼓動情報の変化を参酌して鼓動情報の判断を行うため、入浴者の体調や心臓の鼓動に関する情報の異常を的確に判断できる。
【００６１】
請求項２１に記載の発明は、浴槽と、浴槽に入浴する入浴者を特定する個人特定手段と、入浴者の心臓の鼓動に関する鼓動情報を検知する検知手段と、鼓動情報に関する情報を入浴者および当該入浴者に作用する負荷に応じて記憶して個人蓄積情報を形成する蓄積手段と、前記入浴者に関する個人蓄積情報に基づいて前記鼓動情報の判断を行う判断手段とを備えており、鼓動情報の検知を所定時間に渡って一回だけ行う静止モードと、所定時間に渡る鼓動情報の検知を複数回、断続的あるいは連続的に行う負荷モードとから選択して動作可能であり、鼓動情報の検知方法として静止モードが選択された場合は、判断手段が、前記検知手段にて検知された今回の鼓動情報の内容を、前記蓄積手段に個人蓄積情報として蓄積された前記入浴者の過去の鼓動情報に基づいて判断を下し、前記検知手段にて検知された今回の鼓動情報と判断手段が下した判断の双方あるいはいずれか一方が蓄積手段に蓄積され、鼓動情報の検知方法として負荷モードが選択された場合は、前記検知手段によって複数回検知された今回の鼓動情報の変化内容と、前記蓄積手段に個人蓄積情報として蓄積された前記入浴者の過去の鼓動情報の変化内容に基づいて判断を下し、前記検知手段にて検知された今回の鼓動情報、当該鼓動情報の変化内容、並びに、判断手段が下した判断の少なくともいずれかが蓄積手段に蓄積されることを特徴とする温水システムである。
【００６２】
本発明の温水システムは、検知手段によって検知された鼓動情報に関する情報を負荷に応じて蓄積した個人蓄積情報が蓄積手段に記憶されている。個人蓄積情報は、入浴という日常的な作業中に収集され、入浴者毎に蓄積されるものであるため、各入浴者に特有の体質等の特徴や、日常的な鼓動情報の推移等を反映した情報であり、鼓動情報の判断の指標として最適な情報である。また、本発明の温水システムによれば、入浴によりリラックスした状態で鼓動情報を検知できるため、鼓動情報の信憑性が高い。
【００６３】
本発明の温水システムは、入浴者が鼓動情報の測定方法を自己の都合や要望に応じて検知動作を所定時間に渡って一回だけ行う静止モードと、検知動作を複数回行う負荷モードとから任意に選択できる。
【００６４】
本発明の温水システムにおいて静止モードが選択された場合、判断手段は、一回の検知動作の結果得られる鼓動情報に基づいて判断を行う。そのため、静止モードが選択された場合は、鼓動情報の検知に要する時間が短くて済み、入浴者に対して大きな負荷を作用させずに鼓動情報の検知を行える。
【００６５】
静止モードが選択された場合、検知手段において検知された今回の鼓動情報の内容は、個人蓄積情報として入浴者毎に蓄積された過去の鼓動情報に基づいて判断される。そのため、判断手段によって下される判断は、各入浴者の体力等が加味されたものであり、信憑性が高い。
【００６６】
一般的に、鼓動情報の判断精度をより一層向上させるためには、被験者たる入浴者に対してある程度の負荷を与えた状態で鼓動情報の変化を検知し、この変化内容に応じて判断を下すことが望ましい。かかる要望に応えるべく、本発明の温水システムは、検知方法として負荷モードを選択することができる。さらに詳細には、負荷モードが選択された場合、静止モードが選択された場合よりも検知動作に要する時間が長い。そのため、負荷モードが選択された場合は、入浴者に対して長時間にわたって負荷が作用し、入浴者の体力が消耗していく間に鼓動情報の変化を検知できる。従って、本発明の温水システムは、負荷モードを選択することにより、鼓動情報の検知精度をより一層向上できる。
【００６７】
負荷モードが選択された場合、判断手段は、検知手段によって複数回検知された今回の鼓動情報の変化内容と、前記蓄積手段に個人蓄積情報として蓄積された前記入浴者の過去の鼓動情報の変化内容に基づいて判断を下す。そのため、判断手段によって下される判断は、基礎体力や、負荷が作用した際の体力の消耗具合のような各入浴者の特徴が加味されたものであり、極めて信憑性が高い。
【００６８】
請求項２２に記載の発明は、浴槽と、浴槽に入浴する入浴者を特定する個人特定手段と、入浴者の心臓の鼓動に関する鼓動情報を検知する検知手段と、鼓動情報を入浴者および当該入浴者に作用する負荷に応じて記憶して個人蓄積情報を形成する蓄積手段と、前記入浴者に関する個人蓄積情報に基づいて前記鼓動情報の判断を行う判断手段とを備えており、入浴条件が所定の条件となってから鼓動情報を検知する詳細モードと、入浴条件が任意に設定された条件となってから鼓動情報を検知する任意モードとから選択して動作可能であり、鼓動情報の検知方法として詳細モードが選択された場合は、判断手段が、前記蓄積手段に個人蓄積情報として蓄積された前記入浴者の過去の鼓動情報に基づいて前記検知手段にて検知された今回の鼓動情報の内容に関する判断を下し、前記検知手段にて検知された今回の鼓動情報と判断手段が下した判断の双方あるいはいずれか一方が蓄積手段に蓄積され、鼓動情報の検知方法として任意モードが選択された場合は、判断手段が、入浴条件と、前記蓄積手段に個人蓄積情報として蓄積された前記入浴者の過去の鼓動情報とに基づいて前記検知手段にて検知された今回の鼓動情報に関する判断を下し、前記検知手段にて検知された今回の鼓動情報と判断手段が下した判断の双方あるいはいずれか一方が蓄積手段に蓄積されることを特徴とする温水システムである。
【００６９】
本発明の温水システムでは、検知手段によって検知された鼓動情報に関する情報が負荷に応じて蓄積され個人蓄積情報形成されている。また、本発明の温水システムによれば、入浴によりリラックスした状態で鼓動情報を検知できるため、鼓動情報の信憑性が高い。そのため、個人蓄積情報は、各入浴者の体質等の特徴を反映した情報であり、過去に測定された鼓動情報の推移を負荷条件に応じて正確に知ることができる。
【００７０】
本発明の温水システムは、入浴者が鼓動情報の測定方法を詳細モードと任意モードとから選択できる。本発明の温水システムにおいて詳細モードが選択された場合、入浴条件が所定の条件になってから鼓動情報の検知動作が開始される。詳細モードが選択された場合の測定データは、常に一定の条件下で測定されるため、信憑性が高い。
【００７１】
詳細モードが選択された場合に判断手段が下す判断は、個人蓄積情報として入浴者毎に蓄積された過去の鼓動情報に基づくものであるため、各入浴者の体力等が加味されたものであり、信憑性が高い。
【００７２】
上記したように詳細モードが選択された場合は、入浴条件を所定の条件に調整した上で鼓動情報の検知を行うため、検知される鼓動情報の信憑性が高いが、入浴条件が入浴者の意図するものでないと入浴による快適さが損なわれるおそれがある。そこで、かかる問題に対応すべく、本発明の温水システムでは、鼓動情報の検知方法として任意モードを選択可能となっている。従って、本発明の温水システムにおいて、任意モードを選択すると、入浴者の快適性を損なうことなく鼓動情報の検知動作を行える。
【００７３】
本発明の温水システムにおいて任意モードが選択された場合、測定条件たる入浴条件が測定毎に異なるが、鼓動条件の判断は個人蓄積情報として蓄積された前記入浴者の過去の鼓動情報に加えて鼓動情報の測定時の入浴条件が加味された上で行われるため、判断手段の下す判断は、詳細モードが選択された場合に匹敵する。従って、本発明の温水システムによれば、鼓動情報の判断精度を維持しつつ、入浴者の都合や要望に応じて鼓動情報の検知方法を選択できる。
【００７４】
請求項２３に記載の発明は、浴槽と、音声情報に基づいて操作され、浴槽内の湯水の加熱を行う温水機器と、当該温水機器の操作を行うための音声入力手段と、当該音声入力手段に入力された音声情報に基づいて入浴者を特定する個人特定手段と、入浴者の心臓の鼓動に関する鼓動情報を検知する検知手段と、入浴者に作用する負荷を調整する負荷調整手段と、鼓動情報を入浴者および当該入浴者に作用する負荷に応じて記憶して個人蓄積情報を形成する蓄積手段と、前記入浴者に関する個人蓄積情報に基づいて前記鼓動情報の判断を行う判断手段とを備えており、検知手段による鼓動情報の検知方法を鼓動情報の検知を所定時間に渡って一回だけ行う静止モードと、所定時間に渡る鼓動情報の検知を複数回、断続的あるいは連続的に行う負荷モードとから選択して動作可能であり、負荷モードが選択された場合は、鼓動情報の検知方法を入浴条件が所定の条件となってから鼓動情報を検知する詳細測定法と、入浴条件が任意に設定された条件となってから鼓動情報を検知する任意測定法とから選択可能であり、鼓動情報の検知方法として静止測定法が選択された場合は、判断手段が、前記検知手段にて検知された今回の鼓動情報の内容を、前記蓄積手段に個人蓄積情報として蓄積された前記入浴者の過去の鼓動情報に基づいて判断を下し、前記検知手段にて検知された今回の鼓動情報と判断手段が下した判断の双方あるいはいずれか一方が蓄積手段に蓄積され、鼓動情報の検知方法として負荷モードが選択され、鼓動情報の検知方法として詳細測定法が選択された場合は、判断手段が、前記蓄積手段に個人蓄積情報として蓄積された前記入浴者の過去の鼓動情報に基づいて前記検知手段にて検知された今回の鼓動情報の内容に関する判断を下し、前記検知手段にて検知された今回の鼓動情報と判断手段が下した判断の双方あるいはいずれか一方が蓄積手段に蓄積され、鼓動情報の検知方法として負荷モードが選択され、鼓動情報の検知方法として任意測定法が選択された場合は、判断手段が、入浴条件と、前記蓄積手段に個人蓄積情報として蓄積された前記入浴者の過去の鼓動情報とに基づいて前記検知手段にて検知された今回の鼓動情報に関する判断を下し、前記検知手段にて検知された今回の鼓動情報と判断手段が下した判断の双方あるいはいずれか一方が蓄積手段に蓄積されることを特徴とする温水システムである。
【００７５】
上記したように、本発明の温水システムでは、各入浴者毎に蓄積された個人蓄積情報に基づいて鼓動情報の判断が行われるため、個人蓄積情報の信憑性が判断精度に大きく寄与する。即ち、ある特定の入浴者の個人蓄積情報に他人の鼓動情報が蓄積されてしまうと、判断手段の判断精度が低下してしまうため、入浴者の特定が判断手段の判断精度に大きく影響する。
【００７６】
本発明の温水システムでは、温水機器の操作を行うために設けられた音声入力手段に入力された音声情報に基づいて入浴者を特定する構成となっているため、個人特定に至る過程において入浴者の操作ミス等による入浴者の誤認が起こらない。そのため、個人蓄積情報に蓄積される個人蓄積情報は、極めて信頼性が高い。
【００７７】
本発明の温水システムでは、鼓動情報の測定方法として自己の都合や要望に応じて静止モードと負荷モードとから選択できる。本発明の温水システムにおいて静止モードが選択された場合、判断手段は、一回の検知動作で得られる鼓動情報に基づいて判断を行うため、
鼓動情報の検知に要する時間が短い。そのため、本発明の温水システムは、静止モードを選択することにより入浴者に対して大きな負荷を作用させることなく鼓動情報の検知を行える。
【００７８】
静止モードが選択された場合に検知された鼓動情報の内容は、入浴者毎に蓄積された過去の鼓動情報に基づいて判断される。そのため、判断手段によって下される判断は、体力等の各入浴者の特徴が加味されたものであり、信憑性が高い。
【００７９】
一方、本発明の温水システムは、検知方法として負荷モードを選択することができる。負荷モードでは、所定時間に渡る鼓動情報の検知を複数回、断続的あるいは連続的に行われる。そのため、上記した静止モードが選択された場合よりも検知動作に要する時間が長いが、単に鼓動情報を検知するだけではなく、入浴者の体力が消耗していく間の鼓動情報の推移まで検知できる。従って、本発明の温水システムにおいて負荷モードが選択された場合、判断手段が下す判断は、入浴者の体質等の特徴に加えて、負荷が作用した際の体力の消耗具合に関する情報が加味されたものであり、極めて信憑性が高い。
【００８０】
本発明の温水システムは、負荷モードが選択された場合、鼓動情報は、詳細測定法および任意測定法のいずれかの方法で測定される。詳細測定法で鼓動情報の測定および判断を行う場合は、入浴条件が所定の条件になってから鼓動情報の検知動作が開始される。詳細測定法では、常に一定の条件下で鼓動情報の測定が行われるため、過去の鼓動情報に基づいて判断手段が下す判断は、極めて信憑性が高い。
【００８１】
本発明の温水システムにおいて、負荷モード選択時の測定方法として任意測定法が選択された場合は、入浴者によって設定された入浴条件下で鼓動情報の検知動作が行われる。そのため、詳細測定法によれば、入浴者が快適に感じ、リラックスした状態で鼓動情報の検知を行えるため、検知される鼓動情報の信頼性が高い。
【００８２】
任意測定法により鼓動情報の測定を行うと、入浴条件の違いにより入浴者に作用する負荷が異なり、鼓動情報の変化の程度が異なるものと想定される。本発明の温水システムでは、任意測定法により鼓動情報の測定を行う場合の判断は、検知された鼓動情報に入浴条件を加味した上で行われる。そのため、判断手段の下す判断は、詳細モードが選択された場合と同等の精度を持つ。従って、本発明によれば、入浴者の都合や要望に応じて様々な測定方法で鼓動情報の測定を行え、この測定の結果得られた鼓動情報の判断を正確に行える温水システムを提供できる。
【００８３】
請求項１乃至２３のいずれかに記載の温水システムにおいて、検知手段は、少なくとも心拍あるいは脈拍のいずれか、若しくは双方を検知するであってもよい。（請求項２４）
【００８４】
また、上記請求項１乃至２４のいずれかに記載の温水システムにおいて、検知手段は、心電図を検知するものであってもよい。（請求項２５）
【発明の効果】
【００８５】
本発明の温水システムによれば、各操作者や入浴者の個人的な特徴が加味された個人蓄積情報に基づき、鼓動情報に関する正確な判断を行うことができる。
【発明を実施するための最良の形態】
【００８６】
続いて、本発明の一実施形態である温水システムについて図面を参照しながら詳細に説明する。図１は、本実施形態の温水システムを採用した家屋を示す模式図である。また、図２は、図１に示す温水システムの動作原理図である。図３は、図１に示す温水システムにおいて採用されているリモコンの正面図である。図４（ａ）は、図１に示す温水システムにおいて採用されている操作言語テーブルであり、同（ｂ）は図１に示す温水システムにおいて採用されている安全パターンテーブルである。図５は、図１に示す温水システムが設置された浴室を示す斜視図である。図６は、図１に示す温水システムに採用されている心電情報導出手段の回路構成図である。図７（ａ）は、図１に示す温水システムにおいて測定される心電図および脈波形を示す図であり、同（ｂ）は血圧値とズレ時間の関係を示すグラフである。図８〜１２は、図１に示す温水システムの動作を示すフローチャートである。図１３は、入浴による血圧値およびズレ時間の経時変化を示すグラフである。
【００８７】
図１において、１は本実施形態の温水システムである。温水システム１は、家屋２の外側に設置された給湯装置３と、この給湯装置３の操作を行うためのリモコン５，６と、浴槽７とから構成されている。リモコン５は、浴槽７と共に家屋２の浴室８内に設置されており、図１に破線で示すように給湯装置３に電気的に接続されている。
【００８８】
給湯装置３は、図２のように燃焼ユニット１０と、給湯制御手段１１と、検知制御手段１２とを備えている。燃焼ユニット１０は、従来公知の給湯装置と同様に図示しない燃焼装置や熱交換器等から構成され、風呂や暖房等に使用される湯水を加熱するものである。給湯制御手段１１は、燃焼ユニット１０の作動全般を制御するものであり、例えばＣＰＵやメモリ等の複数の電子部品をプリント基板に搭載して構成される。給湯制御手段１１は、リモコン５，６に接続されており、リモコン５，６によって設定された条件に応じて燃焼装置の燃焼状態やバルブの開閉等の調整を行う。
【００８９】
検知制御手段１２は、給湯制御手段１１と同様に、例えばＣＰＵ（中央演算処理装置）やメモリ等の複数の電子部品をプリント基板に搭載して構成される。検知制御手段１２は、本実施形態の温水システム１に特有のものであり、浴槽７に入浴している入浴者Ｕｎの心臓の鼓動に関するデータの収集等の処理の中心となる部分である。
【００９０】
検知制御手段１２は、図２のように大別して蓄積手段１３、判断手段１５、負荷調整手段１６によって構成されている。蓄積手段１３は、後述する鼓動情報検知手段５３において検知された鼓動検知データを記憶する記憶手段１７を有する。記憶手段１７には、例えばフラッシュメモリ等に代表されるＥＥＰＲＯＭ（Electronically Erasable and Programmable Read Only Memory）等の不揮発性メモリやハードディスクドライブ（Hard Disk Drive）等のように書き換え自在で通電が停止されても記憶情報が消去されない記憶手段を好適に使用できる。
【００９１】
記憶手段１７は、鼓動検知データを各入浴者毎に記憶し、個人蓄積情報Ｐ１〜Ｐｎを形成する。個人蓄積情報Ｐ１〜Ｐｎには、鼓動情報検知手段５３によって過去に検知された鼓動検知データが入浴者Ｕｎ（ｎ＝１，２，・・・，ｎ）毎に蓄積され、記憶されている。また、個人蓄積情報Ｐ１〜Ｐｎには、判断手段１５から出力された判断データや、鼓動情報の検知時に各入浴者Ｕｎに作用していた入浴負荷に関するデータも記憶されている。個人蓄積情報Ｐ１〜Ｐｎは、各入浴者Ｕｎの体格や体質等の影響を考慮したデータベースとして機能し、判断手段１５における鼓動情報の判断の指標として使用される。
【００９２】
判断手段１５は、図２のように、蓄積手段１３に蓄積されている個人蓄積情報Ｐ１〜Ｐｎから被験者たる入浴者Ｕｎに関する個人蓄積情報Ｐｎを読み出す。判断手段１５は、個人蓄積情報Ｐｎと、鼓動情報検知手段５３において検知されている鼓動検知データとを比較し、入浴者Ｕｎの心臓の鼓動に関する異常の有無を判断して判断データを出力する。判断データは、蓄積手段１３に記憶されている個人蓄積情報Ｐｎに記憶されると共に、後述するリモコン５，６の報知手段２５，３８に出力される。
【００９３】
負荷調整手段１６は、後述する入浴状況検知手段６５から発信される入浴状況検知データに基づき、負荷調整指令を給湯制御手段１１に発信する。負荷調整指令は、浴槽７内の湯温や水量等を入浴者Ｕｎの鼓動情報の収集に適した状態に調整するためのものである。また、負荷調整手段１６は、入浴者Ｕｎに作用する入浴負荷を示す入浴状況検知データを蓄積手段１３に向けて発信する。入浴状況検知データは、心拍数Ｒ、心電図Ｘおよび血圧値Ｂの測定条件を示すデータとして測定データと共に記憶される。
【００９４】
リモコン５は、図１，２や図５のように浴室８内に設置されるものであり、給湯装置３の給湯制御手段１１および検知制御手段１２に電気的に接続されている。リモコン５は、大別してリモコン操作手段２０、音声入力手段２１、音声識別手段２２、個人特定手段２３および報知手段２５を備えている。リモコン５は、リモコン操作手段２０が手動で操作されるか、音声入力手段２１に向けて発声された所定の音声命令を受信すると給湯制御手段１１に向けて運転指令が出力され、給湯装置３の動作が制御される。
【００９５】
リモコン操作手段２０は、図３のようにボタン２６ａ，２６ｂ，２６ｃのような押しボタン式のものと、タッチパネル式の表示部２７に表示されたボタン２８ａ，２８ｂ，２８ｃとによって構成されている。リモコン操作手段２０は、給湯装置３の運転設定等を行うためのものである。リモコン５は、リモコン操作手段２０の操作に基づいて給湯制御手段１１に対して所定の運転指令を発信する。
【００９６】
音声入力手段２１は、入浴者Ｕｎの発する音声データを検出するマイクロフォンである。音声入力手段２１において検出された音声データは、音声識別手段２２および個人特定手段２３に伝達される。
【００９７】
音声識別手段２２は、図２のように上記したリモコン操作手段２０のボタン２６ａ，２６ｂ，２６ｃやボタン２８ａ，２８ｂ，２８ｃの操作Ｍ１〜Ｍｘに対応した所定の操作言語を記憶する操作言語記憶手段３０を具備している。操作言語記憶手段３０は、例えばＥＥＰＲＯＭの様な不揮発性メモリによって構成されており、操作Ｍ１〜Ｍｘによって出される運転指令と、それに対応する操作言語を図４（ａ）に示す操作言語テーブルとして記憶している。
【００９８】
操作言語記憶手段３０は、図４（ａ）のように一つの操作Ｍ１〜Ｍｘに対して複数種の操作言語群Ｗ１〜Ｗｍを記憶した音声操作パターンテーブルを具備している。さらに具体的に説明すると、操作言語記憶手段３０は、運転スイッチをオン状態にする操作Ｍ１に対応する操作言語として、「運転スイッチオン」、「運転開始」、「作動しなさい」等の複数の言語を記憶している。これらの操作言語は、各操作Ｍ１〜Ｍｘ毎に予め設定されているものであっても、操作者（入浴者）Ｕｎによって任意に登録されるものであってもよい。
【００９９】
操作言語記憶手段３０は、音声操作により操作可能な操作Ｍ１〜Ｍｘを安全性の観点から分類した安全度パターンテーブルを具備している。安全度パターンテーブルは、図４（ｂ）のように４段階の安全段階Ｓ１〜Ｓ４に分類されており、各操作者（入浴者）毎にいずれかの段階に設定され、音声操作が可能な操作内容が制限されている。
【０１００】
さらに具体的には、例えば安全段階Ｓ１は安全性の高いパターンであり、安全段階Ｓ２、Ｓ３、Ｓ４の順で限定される操作の種類が増加する。安全段階Ｓ１設定されている操作者（入浴者）が音声操作できる操作は、図４（ｂ）のように運転スイッチをオフ状態にする操作Ｍ２や鼓動情報を計測する操作Ｍｘ等に限定されている。逆に、安全段階Ｓ４に設定されている操作者（入浴者）は、運転スイッチをオフ状態にする操作Ｍ２や鼓動情報を計測する操作Ｍｘのような安全性の高い操作に加えて、運転スイッチをオン状態にする操作Ｍ１や追い焚き操作Ｍ３のような高温の湯水が出るような操作等、操作Ｍ１〜Ｍｘの全てを行うことができる。
【０１０１】
音声識別手段２２は、音声入力手段２１に入力された音声データを解析する。解析の結果、音声データ中に操作Ｍ１〜Ｍｘに対応した操作言語が含まれていることが認識されると、音声識別手段２２は、その操作言語に対応した運転指令を給湯制御手段１１に向けて発信する。
【０１０２】
個人特定手段２３には、複数の操作者（入浴者）Ｕ１〜Ｕｎについての音声に関する情報が個人特定情報Ｈ１〜Ｈｎとして個別に登録されている。個人特定情報Ｈ１〜Ｈｎは、声紋等に代表される音声に関する情報を各操作者（入浴者）Ｕ１〜Ｕｎ毎に一又は複数記憶したものである。個人特定手段２３は、パターンマッチング等の手法を用いて音声入力手段２１から送信されてきた音声データの解析を行い、個人特定情報Ｈ１〜Ｈｎに登録された音声データと合致するか否かを判断して操作者（入浴者）を特定する。音声データを発した操作者（入浴者）が特定された場合、個人特定手段２３は、個人特定データを給湯装置３の検知制御手段１２に向けて送信する。
【０１０３】
リモコン５は、図３（ａ）のように報知手段２５として表示部２７とスピーカー３１とを備えている。表示部２７は、蛍光体をドットマトリックス状に配置した蛍光管や液晶ディスプレイ等から構成されたものであり、給湯装置３の動作状況や、リモコン５から発信された運転指令が表示される。また、表示部２７は、給湯装置３の判断手段１５から発信された判断データや鼓動検知データを表示あるいは図示する。スピーカー３１は、給湯装置３の動作状況や、リモコン５から発信された運転指令、判断手段１５から発信された判断データ、鼓動検知データ等を必要に応じて音声情報に変換して出力する。
【０１０４】
リモコン６は、例えば台所のような浴室外の場所から給湯装置３を操作するものである。リモコン６は、上記したリモコン５と外観等が多少異なるが、大部分が同様の構成となっており、リモコン５と同期を取る構成となっている。さらに具体的には、リモコン６は、給湯装置３の給湯制御手段１１および検知制御手段１２に電気的に接続されている。リモコン６は、リモコン５と同様にリモコン操作手段３５、音声入力手段３６、音声識別手段３７、報知手段３８および個人特定手段３９を備えている。リモコン６は、リモコン５と同様にリモコン操作手段３５を手動で操作する方法に加えて、音声入力手段３６を介して所定の操作言語を入力することによっても給湯装置３の動作を制御できる。
【０１０５】
リモコン操作手段３５は、図３（ｂ）のようにボタン４０ａ，４０ｂのような押しボタン式のものと、表示部４１に表示されたボタン４３ａ，４３ｂ，４３ｃとによって構成されている。リモコン６は、リモコン操作手段３５の操作に基づいて給湯制御手段１１に対して所定の運転指令を発信する。
【０１０６】
音声入力手段３６、音声識別手段３７および報知手段３８は、それぞれリモコン５の音声入力手段２１、音声識別手段２２および報知手段２５と同一の構成を有する。さらに具体的には、音声入力手段３６は、台所等で操作者の発する音声データを検出するマイクロフォンである。また、音声識別手段３７は、リモコン操作手段３５の操作Ｍ１〜Ｍｘに対応した所定の操作言語を記憶する操作言語記憶手段４５を具備している。リモコン５，６が互いに同期を取っているため、操作言語記憶手段４５に記憶されている操作言語は、リモコン５の操作言語記憶手段３０に記憶されているものと同一となっている。音声識別手段３７は、音声入力手段３６を介して入力された音声データを解析し、この音声データ中に操作言語記憶手段４５に記憶されている操作言語が含まれていることを認識すると、この操作言語に対応した運転指令を給湯制御手段１１に向けて発信する。
【０１０７】
報知手段３８は、表示部４１とスピーカー４７とを備えている。表示部４１およびスピーカー４７は、それぞれリモコン５の表示部２７およびスピーカー３１と同様の動作を行う。即ち、表示部４１は、給湯装置３の動作状況の表示や、給湯装置３の判断手段１５から発信された判断データや鼓動検知データの表示を行う。スピーカー４７は、給湯装置３の動作状況や、判断手段１５から発信された判断データ、鼓動検知データ等を必要に応じて音声情報に変換して出力する。
【０１０８】
個人特定手段３９は、個人特定手段２３と同様に各操作者Ｕ１〜Ｕｎの音声に関する情報を個人特定情報Ｈ１〜Ｈｎに記憶しているものである。上記したように、リモコン５，６が互いに同期を取る構成となっているため、個人特定手段３９に記憶されている個人特定情報Ｈ１〜Ｈｎは、常にリモコン５の個人特定手段２３に記憶されているのと同一となっている。個人特定手段３９は、音声入力手段３６から送信されてきた音声データの解析を行い、操作者を特定する。個人特定手段３９は、音声データを発した操作者を特定すると、操作者が誰であるかを示す個人特定データを形成し、給湯装置３の検知制御手段１２に向けて送信する。
【０１０９】
浴槽７の左右内壁面５０ａ，５０ｂには、図５のように電極５１ａ，５１ｂが取り付けられており、足下側内壁面５０ｃには電極５１ｃが取り付けられている。足下側内壁面５０ｃの下部には、入浴者側に突出した突出部５０ｄがある。突出部５０ｄには、脈波センサ５２が取り付けられている。電極５１ａ，５１ｂ，５１ｃおよび脈波センサ５２は、それぞれ入浴者Ｕｎの心臓の鼓動に関する情報を検知する鼓動情報検知手段５３を構成するものである。
【０１１０】
電極５１ａ，５１ｂは、入浴者が通常の姿勢で入浴した際に、入浴者の心臓を挟む位置関係にあり、電極５１ｃは、入浴者の足下側にある。電極５１ａ，５１ｂは、入浴者の心電信号を検知するためのものであり、電極５１ｃはアース電極として使用されるものである。
【０１１１】
脈波センサ５２は、浴槽７に入浴して自然な姿勢をとった際に入浴者の足裏が当たる位置にある。脈拍センサ５２には、図示しない発光部と受光部とを備えた光電式の脈波センサ等が好適に使用できる。脈波センサ５２において検知された脈波信号は、給湯装置３の判断手段１５に出力される。
【０１１２】
鼓動情報検知手段５３は、図２のように電極５１ａ，５１ｂの電位差に基づいて心電信号および心拍数を出力する心電情報導出手段５５と、血圧情報導出手段５９とを具備している。心電情報導出手段５５は、図６のように作動増幅回路５６と、フィルタ回路５７、増幅回路５８、波形成型回路６０および演算回路６１を備えている。作動増幅回路５６は、電極５１ａ，５１ｂの電位差を心電信号として増幅するものである。また、フィルタ回路５７は、先に作動増幅回路５６において増幅された信号からノイズ成分を除去するものである。フィルタ回路５７においてノイズが除去された信号は、増幅回路５８において増幅され、波形成型回路６０において波形成型された後、心電信号として出力される。波形成型回路６０から出された心電信号は、演算回路６１に出力されると共に、給湯装置３の判断手段１５に出力される。演算回路６１は、波形成型回路６０から受信した心電信号に基づいて心拍数を算出し、判断手段１５に心拍数信号として発信する。
【０１１３】
血圧情報導出手段５９は、心電情報導出手段５５から発信される心電信号と、脈波センサ５２から発信される脈波信号とに基づいて血圧を導出するものである。さらに具体的には、心電情報導出手段５５から発信される心電信号によって得られる脈波形Ｍのピークは、図７（ａ）のように心電図ＸのＱＲＳ波のピークからズレ時間ｔｇだけずれて測定される。さらに詳細に説明すると、心電図Ｘは、心臓の収縮に伴う電気信号の変動を検知して形成されるが、脈波形Ｍは、心臓の収縮によって発生した脈波が入浴者Ｕｎの足裏まで伝播したものを測定して形成されるものである。そのため、ある時点での心臓の収縮を奥定した心電図Ｘと脈波形Ｍは、脈波が入浴者Ｕｎの足裏まで伝播するのに相当する時間だけ遅れ、これに起因して心電図Ｘのピーク発生時期と脈波形Ｍのピーク発生時期とがズレ時間ｔｇだけずれる。ズレ時間ｔｇは、血管の拡張および収縮による血管抵抗の変化に伴って変動する。
【０１１４】
ズレ時間ｔｇは、血管が拡張し、血管抵抗が小さくなると大きくなる傾向にある。即ち、ズレ時間ｔｇは血圧値Ｂと強い相関関係を有し、図７（ｂ）のグラフのように、血圧値Ｂが上昇に伴ってズレ時間ｔｇが短縮される傾向にある。血圧情報導出手段５９は、心電図Ｘと脈波形Ｍとから導出されるズレ時間ｔｇと図７（ｂ）のグラフとに基づいて血圧値Ｂを導出し、血圧信号を発信する。
【０１１５】
温水システム１は、図２のように入浴者Ｕｎの入浴状況を検知する入浴状況検知手段６５を具備している。入浴状況検知手段６５は、浴槽７内の水位を検知する水位センサ６６と、浴槽７内の水温を検知する水温センサ６７と、人体検知手段６８とを有する。人体検知手段６８は、例えば図１のように浴室８の天井８ａのように浴室８内を見渡せる場所に設置されている。人体検知手段６８は、画像検出センサ６９と赤外検出センサ７０とを組み合わせて構成されている。人体検知手段６８の検知信号は、図２に示すようにリモコン５，６の報知手段２５，３８に出力され、浴室８内における入浴者Ｕｎの有無が報知される。
【０１１６】
画像検出センサ６９は、図示しないＣＣＤ（Charge Coupled Device）カメラ等の撮像手段を有する。画像検出センサ６９は、撮像手段によって撮影された撮像データに基づいて浴室８内における入浴者Ｕｎの有無や、入浴者Ｕｎが浴室８の何処にいるかを検知するものである。また、赤外検出センサ７０は、特に浴室８内が暗い場合のように、画像検出センサ６９の検出精度が十分得られないと想定される場合に作動し、入浴者Ｕｎの有無の検知を補填するものである。
【０１１７】
入浴状況検知手段６５は、人体検知手段６８により入浴者Ｕｎが浴槽７内に入浴していることを検知すると、水位センサ６６により浴槽７の水位が入浴者Ｕｎの入浴前と比べてどれだけ増加したかを検知する。これにより、入浴状況検知手段６５は、入浴者Ｕｎがどの程度湯につかっているのかを検知する。入浴状況検知手段６５は、入浴状況を示す検知データである水位センサ６６および水温センサ６７の検知信号に基づき、入浴により入浴者Ｕｎに作用する負荷（入浴負荷）を算出する。入浴状況検知手段６５は、図２のように給湯装置３の負荷調整手段１６に向けて入浴負荷の大きさを示す入浴状況検知データを発信する。
【０１１８】
続いて、本実施形態の温水システム１の動作について、図面を参照しながら詳細に説明する。図８は、本実施形態の温水システム１の動作を示すフローチャートであり、図９〜１２は図８に示すフローチャートから派生するサブルーチンを示す図である。上記したように、温水システム１は、浴室８に設置されたリモコン５や台所等に設置されたリモコン６への入力に基づいて燃焼動作に加えて心拍検出動作、心電図検出動作および血圧値検出動作を行うものである。リモコン５，６は、いずれも手動でリモコン操作手段２０，３５を操作するマニュアル操作、あるいは、音声入力手段２１，３６に向けて音声を発して操作する音声操作のいずれかによる入力を受けて所定の動作を行う。温水システム１は、給湯装置３に設けられた給湯制御手段１１や検知制御手段１２が、リモコン５，６や入浴状況検知手段６５、鼓動情報検知手段５５から送信される情報に基づいて動作を司る構成となっている。以下、温水システム１の動作について図８〜１２のフローチャートを参照しながら詳細に説明する。
【０１１９】
温水システム１は、リモコン５あるいはリモコン６の操作により電源がオン状態になると図８のようにステップ１−１で、リモコン５，６に心拍検出動作を行う旨の設定がなされているかを確認する。ここで、リモコン５，６において心拍検出動作を行う旨の設定がなされており、検知制御手段１２に対する心拍検出指令が出ている場合は、制御フローが後述するステップ２−１（図９参照）に移行する。
【０１２０】
ステップ１−１において心拍検出指令が確認されない場合は、制御フローがステップ１−２に進行する。ステップ１−２では、リモコン５，６において心電図を検出する旨の設定がなされ、検知制御手段１２に向けて心電図検出指令が発信されているなされているかが確認される。ここで、心電図検出指令が発信されている場合は、制御フローが後述するステップ３−１（図１０参照）に移行し心電図検出動作を行う。一方、ステップ１−２において心電図検出指令が確認されない場合は、制御フローがステップ１−３に移行する。
【０１２１】
ステップ１−３では、リモコン５，６において入浴者Ｕｎの血圧値Ｂを検出する旨の設定がなされ、血圧検出指令が発信されているなされているかを確認する。ここで、血圧検出指令が発信されている場合は、制御フローが後述するステップ５−１（図１２参照）に移行し、血圧検出動作を行う。一方、ステップ１−３において血圧検出指令が発令されていない場合、温水システム１は、心拍や心電図、血圧のような入浴者Ｕｎの心臓の鼓動に関する情報の測定を行わず、給湯装置３が通常運転を行う。以下、温水システム１の各動作について通常運転時の動作から順を追って説明する。
【０１２２】
（通常運転）
上記したように、ステップ１−３において血圧検出指令が発令されていない場合、温水システム１の制御フローは、通常運転を行うべくステップ１−４に移行する。ステップ１−４において、給湯制御手段１１は、リモコン５，６のいずれか一方のリモコン操作手段２０，３５をマニュアル操作することによる運転指令が発信されているかを確認する。ここで、マニュアル操作による運転指令が確認された場合は、制御フローがステップ１−５に進行する。
【０１２３】
ステップ１−４においてマニュアル操作による運転指令がない場合は、ステップ１−７において音声入力手段２１への音声入力があるか否かが確認される。音声入力手段２１が音声情報を検知しない場合は、制御フローがステップ１−１に戻る。一方、音声入力手段２１に対して何らかの音声データが入力されている場合、個人特定手段２３は、ステップ１−８においてこの音声データを発した操作者（入浴者）の特定を行う。さらに具体的には、個人特定手段２３は、図２のように音声入力手段２１から音声データを受信し、この音声データと既に個人特定情報Ｈ１〜Ｈｎとして記憶されている各操作者（入浴者）の音声データとを比較する。ここで、例えば音声データが個人特定情報Ｈ１〜Ｈｎに登録された操作者（入浴者）Ｕｎのものである場合、個人特定手段２３は、操作者（入浴者）がＵｎである旨示す個人特定データを音声識別手段２２，３７に発信し、制御フローをステップ１−９に進める。一方、個人特定情報Ｈ１〜Ｈｎ中に音声入力手段２１に入力された音声データに相当するデータがない場合、制御フローが後述するステップ１−１１に進み、操作者（入浴者）Ｕｎにマニュアル操作を行うように促す。
【０１２４】
制御フローがステップ１−９に進むと、音声識別手段２２，３７は、音声入力手段２１に入力された音声データ中に操作Ｍ１〜Ｍｘに対応して設定された操作言語に相当する言葉が含まれていないかを解析する。ここで操作Ｍ１〜Ｍｘに相当する操作言語が抽出されない場合、制御フローはステップ１−１に戻る。
【０１２５】
一方、ステップ１−９において音声データ中に操作Ｍ１〜Ｍｘに相当する操作言語が含まれていると判断された場合、音声識別手段２２は、ステップ１−１０において入力された操作言語が操作者（入浴者）Ｕｎに許可されたものであるかを確認する。さらに詳細には、音声識別手段２２，３７の操作言語記憶手段３０，４５には、安全性の観点から、図４（ｂ）に示す安全度パターンテーブルに基づいて各操作者（入浴者）Ｕ１〜Ｕｎがそれぞれ安全段階Ｓ１〜Ｓ４のどの段階の音声操作まで行えるかが設定され、記憶されている。上記ステップ１−９において認識された操作言語が、音声識別手段２２，３７によってステップ１−８において認識された操作者（入浴者）Ｕｎに許可されたものでないと判断された場合、制御フローがステップ１−１１に進む。ステップ１−１１において、リモコン５，６は、例えば表示部２７，４１に文字や図形を表示したり、スピーカー３１，４７から警告音や音声を出すなどして操作者（入浴者）Ｕｎにマニュアル操作を行うように報知する。その後、制御フローはステップ１−１に戻る。
【０１２６】
音声操作あるいはマニュアル操作により発信された運転指令は、図２のように給湯制御手段１１に入力される。給湯制御手段１１は、ステップ１−５において、入力された運転指令に基づいて燃焼ユニット１０に燃焼動作等の所定の動作（通常運転）を行わせる。ステップ１−５における通常運転が開始すると、温水システム１は、予め設定された通常運転の期限が完了するか、マニュアル操作や音声操作によって通常運転の停止命令が発信されるまで通常運転を継続する。ステップ１−６において通常運転が完了したことが確認されると、温水システム１は、一連の動作を完了する。
【０１２７】
（心拍検出動作）
リモコン５あるいはリモコン６により心拍検出動作を行う旨の設定がなされている場合、本実施形態の温水システム１の制御フローは、図８に示す制御フローのステップ１−１から図９に示すサブルーチンへと移行する。以下、温水システム１における心拍検出動作について図面を参照しながら詳細に説明する。
【０１２８】
上記した図８のステップ１−１においてリモコン５あるいはリモコン６に心拍検出動作を行う旨の設定がなされている場合、制御フローは図９に示すサブルーチンへと移行する。制御フローが図９のステップ２−１に移行すると、浴室８内に設置されたリモコン５の音声入力手段２１に音声データが入力されているか否かの確認がなされる。ここで、ステップ２−１において音声データが入力されている場合、制御フローは後述するステップ２−３へと移行する。一方、ステップ２−１において音声データが入力されていない場合は、制御フローがステップ２−２に進行する。ステップ２−２において、リモコン５は、例えば報知手段２５たるスピーカ３１から「入浴しているのは誰ですか？」等の音声を出したり、表示部２７に文字や図形を表示させる等して、音声データの入力を入浴者Ｕｎに対して促す。
【０１２９】
上記したステップ２−１あるいはステップ２−２において入力された音声データは、図２のようにリモコン５の個人特定手段２３に送信される。個人特定手段２３は、ステップ２−３において音声入力手段２１に入力された音声データと、既に記憶している個人特定情報Ｈ１〜Ｈｎとを照合し、入浴者が誰であるかを仮特定する仮特定動作を行う。
【０１３０】
ステップ２−３において入浴者が特定されると、ステップ２−４においてリモコン５のスピーカ３１から例えば「入浴しているのはＵ１さんですね」等の音声を出したり、表示部２７に文字や図形を表示させる等して入浴者の再確認動作に移行する。ステップ２−５において、リモコン５は、スピーカ３１や表示部２７により、入浴者に対して仮特定動作の正否を音声入力手段２１への音声の入力（音声操作）あるいは、リモコン操作手段２０の操作（マニュアル操作）により入力するように促す。ここで、リモコン５に入浴者を誤認している旨の入力がなされた場合、入浴者の再認識を行うべく、制御フローはステップ２−１へと戻る。
【０１３１】
ステップ２−５において入浴者の特定が正確に行われていることが確認された場合は、制御フローがステップ２−６に進行する。ステップ２−６では、リモコン５の個人特定手段２３と給湯装置３の検知制御手段１２との間で、入浴者が誰であるかを示す個人特定データが送受信される。検知制御手段１２が個人特定データを受信すると、ステップ２−７において、検知制御手段１２は、個人特定データに基づいて蓄積手段１３の記憶手段１７から入浴者Ｕｎに適合する個人蓄積情報Ｐｎを選択する。ここで選択された個人蓄積情報Ｐｎは、以降の制御フローにおける異常検知の基準データとして使用されると共に、以降の制御フローで検知あるいは導出される心拍数Ｒおよび判断データが蓄積されるものである。
【０１３２】
ステップ２−７で個人蓄積情報Ｐｎが選択されると、制御フローがステップ２−８に移行し、検知制御手段１２が電極５１ａ，５１ｂの電位差に基づいて発信される心電信号の送受信と、個人蓄積情報Ｐｎへの蓄積が開始される。さらに具体的には、電極５１ａ，５１ｂの検知信号は、図６に示す心電情報導出手段５５の作動増幅回路５６に入力され、心電信号として増幅される。作動増幅回路５６において増幅された心電信号は、フィルタ回路５７でノイズ除去された後、増幅回路５８においてさらに増幅される。増幅回路５８で増幅された心電信号は、波形成型回路６０において波形成型された後、鼓動検知データの一つである心電信号として発信される。波形成型回路６０から発信された心電信号は、検知制御手段１２において受信される。検知制御手段１２は、受信した心電信号を入浴者Ｕｎのデータベースである個人蓄積情報Ｐｎに蓄積し始める。心電信号の送受信が開始すると、ステップ２−９において心電信号の検知時間を制御する検知タイマ（図示せず）がカウントダウンを開始し、制御フローがステップ２−１０へと進行する。
【０１３３】
波形成型回路６０において波形成型された心電信号は、ステップ２−１０において演算回路６１にも出力される。演算回路６１は、波形成型回路６０から受信した心電信号に基づいて心拍数Ｒを算出し、検知制御手段１２に心拍数信号として発信する。心拍数Ｒの算出方法についてさらに具体的に説明すると、波形成型回路６０から発信された心電信号をグラフ化すると図７（ａ）のような心電図Ｘが得られる。心電図Ｘには、ＰＱＲＳＴＵで示すような波形群Ｙが時間間隔をおいて発現する。演算回路６１は、心電図Ｘ中の隣接する波形群ＹのＱＲＳ波のピークＲ−Ｒ間の時間Ｒｔを算出する。演算回路６１は、この時間Ｒｔに基づき心拍数Ｒを（６０／Ｒｔ）回と算出する。ここで算出された心拍数Ｒは、鼓動検知データの一つである心拍数信号として発信される。心拍数信号は、ステップ２−１１において検知制御手段１２で受信され、個人蓄積情報Ｐｎに記憶される。個人蓄積情報Ｐｎには、入浴者Ｕｎの心拍数Ｒについての履歴情報を心拍数信号に基づいてデータベース化した心拍数履歴データＲｐが記憶される。
【０１３４】
判断手段１５は、ステップ２−１２において先に算出された心拍数Ｒと、個人蓄積情報Ｐｎに記憶されている心拍数履歴データＲｐとを比較し、心拍数Ｒが正常値であるか否かを判断する。ここで、心拍数履歴データＲｐは、入浴者Ｕｎの過去の心拍数に関するデータを蓄積したものである。さらに具体的には、心拍数履歴データＲｐは、過去に検知された心拍数信号から検知不良等で発生した特異なデータを除去して相加平均したものである。即ち、心拍数履歴データＲｐは、入浴者Ｕｎの体型や体質等の特徴を反映したデータであり、入浴者Ｕｎの心拍数Ｒの判断の指標となるデータである。
【０１３５】
判断手段１５によってステップ２−１２において下された判断（判断データ）は、蓄積手段１３に送信され、入浴者Ｕｎの個人蓄積情報Ｐｎに記憶される。また、この判断データは、先に心電情報導出手段５５から受信した心拍数信号と共にリモコン５，６に送信される。リモコン５，６の表示部２７，４１には、判断手段１５が下した判断および心拍数Ｒが文字や図形で表示される。
【０１３６】
ステップ２−１２において心拍数Ｒに関する判断が行われると、ステップ２−１３において心拍数Ｒが異常であるか否かが確認される。ここで、心拍数Ｒが異常であると判断された場合、制御フローがステップ２−１６に進行し、安全対応動作を行う。さらに具体的には、制御フローがステップ２−１６に移行した場合、心拍数Ｒが入浴者Ｕｎの過去の心拍数履歴データＲｐと大幅に異なり、このまま入浴を続けると入浴者Ｕｎが不調を来すおそれがある。そのため、制御フローがステップ２−１６に移行すると、浴室８内に設置されたリモコン５のスピーカー３１から入浴者Ｕｎに対して入浴を止めるように促すメッセージを発声させると共に、表示部２７に同様の意味内容を示す文字や図形を表示する。この時、入浴者Ｕｎに心拍数Ｒが異常であることをより一層明確に警告すべく、表示部２７に表示される文字を点滅表示したり、図形をアニメーション表示するなどしてもよい。また、文字や図形は、他の表示と異なる色で表示されることが望ましい。
【０１３７】
一方、ステップ２−１３において心拍数Ｒが入浴者Ｕｎ過去の心拍数履歴データＲｐと大きく違わず、正常値であると判断された場合、制御フローはステップ２−１４に進行する。ステップ２−１４において心電信号の受信開始時にセットされた検知タイマのカウントダウンが継続している場合は、制御フローがステップ２−１０に戻り、心電信号の検知および心拍数の算出を継続する。ステップ２−１４において検知タイマがタイムアップ状態であることが確認されると、ステップ２−１５において心電情報導出手段５５との心電信号および心拍信号の送受信と、心電信号、心拍数信号並びに判断データの蓄積が中止される。上記したステップ２−１〜２−１５に示す一連の制御フローが完了すると、制御フローは図８の制御フローに戻る。
【０１３８】
（心電図検出動作）
リモコン５，６において心電図検出動作を行う旨の設定がなされている場合、制御フローは、図８に示す制御フローのステップ１−２から図１０に示すサブルーチンへと移行する。以下、心電図検出動作を行う際の温水システム１の動作について図面を参照しながら詳細に説明する。
【０１３９】
図８に示す制御フローのステップ１−２において、リモコン５あるいはリモコン６に心電図検出動作を行う旨の設定がなされている場合、制御フローは図１０のサブルーチンへと移行する。制御フローがステップ３−１に移行すると、音声入力手段２１に音声データの入力が有ったかが確認される。音声データの入力が有った場合は、制御フローが後述するステップ３−３へと進行する。一方、ステップ３−１で音声データの入力が確認されない場合は、ステップ３−２でリモコン５の表示部２７およびスピーカー３１から入浴者Ｕｎに音声データの入浴を行うように促すメッセージを発信する。さらに具体的には、スピーカ３１から「入浴しているのは誰ですか？」等の音声メッセージが発声され、表示部２７に前記音声メッセージと同様の意味内容を示す文字や図形が表示される。
【０１４０】
ステップ３−１あるいはステップ３−２において音声データが入力されると、この音声データが図２のようにリモコン５の個人特定手段２３に送信される。個人特定手段２３は、ステップ３−３において入力された音声データを個人特定情報Ｈ１〜Ｈｎと照合し、入浴者Ｕｎを仮特定する仮特定動作を行う。
【０１４１】
個人特定手段２３は、ステップ３−３において特定した入浴者Ｕｎが真の入浴者であるかを確認すべく、ステップ３−４において再確認動作を行う。さらに具体的には、ステップ３−４では、入浴者を再確認すべく、リモコン５のスピーカ３１から「入浴しているのはＵ１さんですね」等の音声メッセージが発信される。また、これと同時に表示部２７には、入浴者の正否を音声操作あるいはマニュアル操作によって入力するように促すメッセージが文字や図形により表示させる。入浴者Ｕｎによってリモコン５側から報知されるメッセージに対して入浴者Ｕｎを誤認している旨の入力がなされた場合、個人特定手段２３は、入浴者の再認識を行うべく、制御フローをステップ３−１に戻す。
【０１４２】
一方、ステップ３−５において入浴者Ｕｎの特定が正確であることが確認されると、制御フローがステップ３−６へと進行し、リモコン５の個人特定手段２３から給湯装置３の検知制御手段１２に入浴者Ｕｎを特定する個人特定データが送信される。検知制御手段１２は、個人特定データに基づき、ステップ３−７において蓄積手段１３の記憶手段１７に記憶されている入浴者Ｕｎの個人蓄積情報Ｐｎを以後の制御フローにおいて使用するデータベースとして選択する。
【０１４３】
ステップ３−７において個人蓄積情報Ｐｎが選択されると、制御フローがステップ３−８に進行する。ステップ３−８では、リモコン５が入浴者Ｕｎに対して心電図検出動作の動作モードの選択を要求する。さらに具体的には、リモコン５は、表示部２７に静止モードと負荷モードのどちらのモードで心電図の測定を行うのかを音声操作あるいはマニュアル操作で入力するよう促すメッセージを表示する。また、この時リモコン５のスピーカー３１からも心電図の測定モードを選択するよう促すメッセージが発声される。ここで、「静止モード」とは、浴槽７内に入浴者Ｕｎが入浴した状態で心電情報を検知して心電図を作製するモードであり、一般的に「静止心電図」と称される心電図を作製するモードである。また、「負荷モード」とは、浴槽７内の湯温や水位を所定値あるいは任意の値に調整することにより入浴者Ｕｎに作用する運動負荷を調整して測定され心電情報に基づく心電図を作製するモードであり、一般的にトレッドミル等を用いて被験者に運動負荷を与えて状態で測定される「運動負荷心電図」を作製するモードである。
【０１４４】
ステップ３−８において心電図の測定モードとして負荷モードが選択された場合、制御フローは後述するステップ３−１４へと移行する。一方、ステップ３−８において静止モードが選択された場合は、制御フローがステップ３−９に進行する。以下、静止モードが選択された場合における温水システム１の動作について順を追って説明する。
【０１４５】
＜静止モード＞
ステップ３−８において静止モードが選択され、制御フローがステップ３−９に進行すると、入浴状況検知手段６５により入浴者Ｕｎの入浴状態が検知される。負荷調整手段１６は、この検知結果に応じて入浴状態の調整を行い、心電情報の測定条件の均一化を図る。
【０１４６】
さらに具体的には、浴室８の天井８ａに設置された人体検知手段６８により入浴者Ｕｎが浴室８内の何処に居るかが検知される。ここで、入浴者Ｕｎが浴槽７内に入浴していない場合は、リモコン５の表示部２７やスピーカー３１から入浴者Ｕｎに対して浴槽７内に入浴するように指示が出される。また、入浴状況検知手段６５は、水位センサ６６によって入浴者Ｕｎの入浴前に比べて浴槽７内の水位がどの程度上昇したかを検知し、この検知結果により入浴者Ｕｎがどの程度湯につかっているかを確認する。さらに、入浴状況検知手段６５は、水温センサ６７によって浴槽７内の水温を検知する。入浴状況検知手段６５は、図２のように水位センサ６６や水温センサ６７の検知データに基づく入浴状況検知データを給湯装置３の負荷調整手段１６に送信する。負荷調整手段１６は、受信した入浴状況検知データに基づいて給湯制御手段１１に負荷調整指令を送信する。給湯制御手段１１は、負荷調整指令に基づいて燃焼ユニット１０を動作させ、浴槽７内の湯量や湯温を心電図の測定に適した状態に調整する。
【０１４７】
ステップ３−９における湯温や湯量の調整が完了すると、ステップ３−１０において浴室８内のリモコン５から入浴者Ｕｎに対して入浴状態を心電図の測定に適した状態とするように指示が出される。さらに具体的には、リモコン５は、スピーカー３１から「肩までつかってください」等の音声メッセージを発すると共に、表示部２７に音声メッセージと同様の内容を示す文字や図形を表示させる。その後、水位センサ６６や人体検知手段６８の検知信号により入浴者Ｕｎが心電図の測定に適した姿勢で入浴していることが確認されると、制御フローがステップ３−１１に進行し、心電図の測定が開始される。
【０１４８】
制御フローがステップ３−１１に進行すると、制御フローは図１１の心電図測定サブルーチンのステップ４−１へと移行する。制御フローがステップ４−１に移行すると、検知制御手段１２と心電情報導出手段５５との間で、電極５１ａ，５１ｂの電位差に基づいて導出される心電信号および心拍数信号の送受信が開始される。検知制御手段１２は、受信した心電信号および心拍数信号を入浴者Ｕｎ用の個人蓄積手段Ｐｎに記憶する。
【０１４９】
心電信号および心拍数信号の送受信が開始されると、ステップ４−２において心電図Ｘの測定時間を制御する検知タイマ（図示せず）のカウントダウンが始まり、制御フローがステップ４−３に移行する。
【０１５０】
心電情報導出手段５５から検知制御手段１２に送信されてきた心電信号および心拍数信号は、ステップ４−３においてリモコン５，６の報知手段２５，３８に送信される。報知手段２５，３８の表示部２７，４１には、図３のように心電情報導出手段５５において導出された心電信号に基づいて心電図Ｘが描画されると共に、心拍数Ｒが表示される。また、心電図Ｘの下方には、個人蓄積手段Ｐｎに蓄積されている入浴者Ｕｎの心電信号の履歴データ（以下、心電履歴データＥｐと称す）に基づき、心電図Ｘｒが描画される。心拍数Ｒおよび心電図Ｘ，Ｘｒの表示が開始されると、制御フローはステップ４−４へと進行する。
【０１５１】
ステップ４−４において、判断手段１５は、心電情報導出手段５５で導出された心電信号および心拍数信号に基づく心電図Ｘや心拍数Ｒと、個人蓄積手段Ｐｎに蓄積されている入浴者Ｕｎの心電信号および心拍信号の履歴データ（以下、それぞれ心電履歴データＥｐ、心拍数履歴データＲｐと称す）とを比較し、異常の有無を判断する。
【０１５２】
ここで、心電履歴データＥｐとは、過去の心電図Ｘの測定において得られた心電情報に基づいて入浴者Ｕｎの心電図Ｘについての履歴情報をデータベース化したものである。また、心拍数履歴データＲｐは、上記したように入浴者Ｕｎについて測定された心拍数Ｒの履歴情報をデータベース化したものである。心電履歴データＥｐおよび心拍数履歴データＲｐは、それぞれ過去に検知された心電信号および心拍数信号から検知不良等で発生した特異なデータを除去して相加平均したものである。心電履歴データＥｐおよび心拍数履歴データＲｐは、入浴者Ｕｎの体型や体質等の特徴や、入浴者Ｕｎの入浴時の姿勢等のように入浴者Ｕｎの特徴を反映したデータであり、判断手段１５が判断の指標として使用するデータである。
【０１５３】
ステップ４−５において入浴者Ｕｎの心電図Ｘあるいは心拍数Ｒが心電情報Ｅｐや心拍数履歴データＲｐと大幅に違う等の異常が確認されると、制御フローがステップ４−８に進行し、安全対応動作が行われる。さらに具体的に説明すると、制御フローがステップ４−８に進むと、浴室８内のリモコン５が備えるスピーカー３１から入浴者Ｕｎに対して入浴を止めるように促すメッセージを発声させると共に、表示部２７に同様の意味内容を示す文字や図形を表示する。また、心電図Ｘに異常がある場合は、異常に相当する箇所を心電図Ｘの正常な部分の表示色と異なる色で表示し、入浴者Ｕｎに対して異常の発生を知らせる。ここで、入浴者Ｕｎに異常をより一層確実に伝達すべく、表示部２７に表示される文字や図形等の情報についても、点滅表示やアニメーション表示のような手法を併用して表示されることが望ましい。
【０１５４】
一方、ステップ４−５において、心電図Ｘや心拍数Ｒと個人蓄積手段Ｐｎに蓄積されている心電情報Ｅｐや心拍数履歴データＲｐとのズレが小さく、正常値であると判断された場合は、制御フローがステップ４−６に進行する。ステップ４−６において検知タイマがタイムアップになっていない場合は、制御フローが上記したステップ４−３に戻る。一方、ステップ４−６で検知タイマがタイムアップになっていることが確認された場合は、制御フローがステップ４−７に進行し、検知制御手段１２と心電情報導出手段５５との間で行われていた心電信号および心拍数信号の送受信が中止される。これに伴い、個人蓄積情報Ｐｎへの心電情報および心拍数情報の蓄積も中止される。上記した心電図の検知に係る一連の制御フローが完了すると、制御フローは図１０に示す制御フローのステップ３−１２に戻る。
【０１５５】
制御フローがステップ３−１２に戻ると、上記したステップ４−１〜４−８の制御フローで測定された心電図Ｘおよび心拍数Ｒの測定結果がリモコン５の表示部２７に文字あるいは図形で表示されると共に、スピーカー３１から発声され報知される。その後、この測定結果がステップ３−１３において個人蓄積情報Ｐｎに記憶される。測定結果の記憶が完了すると、制御フローは上記したステップ１−３（図８参照）に戻る。
【０１５６】
＜負荷モード＞
続いて、上記したステップ３−８において心電図Ｘの測定モードとして負荷モードが選択された場合の温水システム１の動作について説明する。上記した図１０に示す制御フローのステップ３−８において負荷モードが選択された場合は、制御フローがステップ３−１４に進行する。ステップ３−１４では、リモコン５から入浴者Ｕｎに対して心電図Ｘの測定方法をさらに選択するよう指示が出される。さらに詳細には、ステップ３−１４では、リモコン５の表示部２７に心電図Ｘの測定を詳細測定法で行うか自動測定法で行うかをマニュアル操作あるいは音声操作によって選択するように文字あるいは図形によるメッセージが表示される。また、これと同時にリモコン５のスピーカー３１から、表示部２７に表示されたメッセージと同義の音声メッセージが発声される。ステップ３−１４において、入浴者Ｕｎが詳細測定法を選択した場合は、制御フローがステップ３−１５に進行し、自動測定法を選択した場合は制御フローがステップ３−２３に進行する。以下、詳細測定法における温水システム１の動作および自動測定法における温水システム１の動作について順を追って説明する。
【０１５７】
＜詳細測定法＞
上記したように、ステップ３−１４において詳細測定法が選択された場合、制御フローはステップ３−１５に進行する。制御フローがステップ３−１５に進行すると、上記ステップ３−９と同様に水位センサ６６や水温センサ６７，人体検知手段６８からなる入浴状況検知手段６５によって入浴者Ｕｎの入浴状態が検知される。負荷調整手段１６は、この検知結果に応じて給湯制御手段１１に対して負荷調整指令を発令して燃焼ユニット１０を作動させて浴槽７内の水位や水温を調整し、入浴者Ｕｎに作用する負荷を心電図Ｘの測定に適した条件となるように調整する。
【０１５８】
ステップ３−１５において心電図Ｘの測定条件が整うと、ステップ３−１６においてリモコン５の表示部２７やスピーカー３１から入浴者Ｕｎに対して心電図Ｘの測定時における入浴姿勢についての指示が出される。ここで水位センサ６６や人体検知手段６８の検知信号により入浴者Ｕｎが心電図の測定に適した姿勢で入浴していることが確認されると、制御フローがステップ３−１７に進行する。
【０１５９】
ステップ３−１７では、心電図Ｘの測定に先だって測定回数を検知する測定カウンタ（図示せず）がリセットされる。その後、制御フローはステップ３−１８に進行し、心電図Ｘの測定が開始される。即ち、ステップ３−１７で測定カウンタがリセットされた後は、制御フローが上記したステップ４−１〜４−８（図１１参照）によって構成される心電図測定用サブルーチンへと移行し、心電図Ｘが測定される。
【０１６０】
図１１に示すサブルーチンが一巡すると、制御フローがステップ３−１９に戻り、今回測定された鼓動情報の変化内容が、過去の鼓動情報の変化内容と比べて大幅に相違しないかを確認し、入浴者Ｕｎの心臓の鼓動や体調に異常が発生していないかを確認する。ここで、過去の鼓動情報の変化内容は、入浴者Ｕｎの個人蓄積情報Ｐｎに蓄積されているものであり、過去に負荷モードで測定が行われた際に検知され、蓄積された鼓動情報に基づくものである。
【０１６１】
さらに具体的には、本実施形態の温水システム１では、上記したステップ３−１８から下記ステップ３−２２に至る一連の検知動作を３度に渡って行うと、入浴者Ｕｎは浴槽７内に長時間にわたって入浴していることになる。そのため、入浴者Ｕｎに作用する負荷は、検知動作の回数を重ねる毎に大きくなり、これに伴って鼓動情報が変化する。長時間にわたって入浴することで体力を消耗する過程における鼓動情報の変化は、入浴者Ｕｎの体調等を大きく反映している。そのため、判断手段１５は、ステップ３−１９において鼓動情報の変化を検知し、個人蓄積情報Ｐｎに蓄積されている過去の鼓動情報の変化内容との比較により入浴者Ｕｎの体調に異変が生じていないかを確認する。ステップ３−１９において鼓動情報の異変が検知された場合は、制御フローがステップ３−３２に進み、入浴者Ｕｎに対して異常を知らせ、安全対応動作が行われる。
【０１６２】
さらに具体的には、制御フローがステップ３−３２に進むと、浴室８内のリモコン５が備えるスピーカー３１から入浴者Ｕｎに対して入浴を止めるように促すメッセージを発声させると共に、表示部２７に同様の意味内容を示す文字や図形を表示する。また、表示部２７に表示されている心電図Ｘは、異常に相当する箇所が正常な部分と異なる色で表示される。
【０１６３】
一方、ステップ３−１９において鼓動情報の変化内容に異常が検知されない場合は、制御フローがステップ３−２０に進行し、測定カウンタのカウント数ｎが「１」加算される。その後、制御フローはステップ３−２１に進み、加算後のカウント数ｎが「３」に達しているかが確認される。ここでカウント数ｎが「３」に達していない場合は制御フローがステップ３−１８に戻り、図１１に示すサブルーチンに則って再度心電図測定が行われる。
【０１６４】
ステップ３−２１においてカウント数ｎが「３」に達している場合は、制御フローがステップ３−２２に進行する。ステップ３−２２では、判断手段１５により、上記した３回の心電図測定に基づいて導出される心電図Ｘや心拍数Ｒが正常であるか否かの判断が下される。ステップ３−２２において心電図Ｘおよび心拍数Ｒに関する判断結果が導出されると、この判断結果がステップ３−１２においてリモコン５の表示部２７やスピーカー３１を介して入浴者Ｕｎに報知される。その後、制御フローはステップ３−１３に進行し、ステップ３−１８において検知された鼓動情報や心電図Ｘ、心拍数Ｒの変化内容や、ステップ３−２２において導出された判断結果等、一連の検知動作において得られた情報が個人蓄積情報Ｐｎに記憶される。測定結果の記憶が完了すると、制御フローは上記したステップ１−３（図８参照）に戻る。
【０１６５】
＜自動測定法＞
続いて、上記ステップ３−１４において心電図の測定方法として自動測定法が選択された場合の温水システム１の動作について順を追って説明する。上記ステップ３−１４において自動測定法が選択されると、制御フローがステップ３−２３に進行する。ステップ３−２３では、浴槽７内の湯温がＴｑ℃に調整され、水位がＨｑに調整される。ここで、湯温Ｔｑおよび水位Ｈｑは、リモコン５あるいはリモコン６を介して任意に設定されたものである。ステップ３−２３において湯温および水位の調整が完了すると、制御フローがステップ３−２４へと進行する。ステップ３−２４では、上記ステップ３−９やステップ３−１５においてなされるのと同様の手順で入浴者Ｕｎの入浴状態が検知される。さらに具体的には、ステップ３−２４において、入浴状況検知手段６５は、人体検知手段６８によって入浴者Ｕｎが浴槽７内に入浴しているかの確認がなされる。ここで、入浴者Ｕｎが入浴していない場合は、リモコン５の表示部２７やスピーカー３１から入浴者Ｕｎに対して浴槽７内に入浴するように指示が出される。
【０１６６】
入浴状況検知手段６５は、人体検知手段６８の検知信号により入浴者Ｕｎが浴槽７内に入浴していることを確認した後、水位センサ６６の検知信号によって入浴者Ｕｎの入浴による水位上昇がどの程度であるかを確認し、これにより水位が入浴者Ｕｎの体のどの程度位置にあるかを確認する。これに加えて、入浴状況検知手段６５は、水温センサ６７によって浴槽７内の水温を検知する。
【０１６７】
水位センサ６６および水温センサ６７の検知データに基づく入浴状況検知データは、図２のように給湯装置３の負荷調整手段１６に送信される。負荷調整手段１６は、受信した入浴状況検知データに基づいて入浴者Ｕｎに作用すると想定される入浴負荷を算出する。ここで算出された入浴負荷に関するデータ（入浴状況検知データ）は、蓄積手段１３に送信され、入浴者Ｕｎの個人蓄積情報Ｐｎに以下のステップ３−２７で測定される心電図測定の初期条件として記録される。
【０１６８】
ステップ３−２５において入浴負荷の算出が完了すると、制御フローがステップ３−２６で心電図測定の回数をカウントする測定カウンタ（図示せず）がリセットされた後、ステップ３−２７の心電図測定へと移行する。ステップ３−２７の心電図測定は、上記したステップ３−１１やステップ３−１８と同様に図１１のステップ４−１〜４−８に示すサブルーチンに則って行われる。
【０１６９】
ステップ３−２７において心電図測定が完了すると、制御フローはステップ３−２８に戻る。ステップ３−２８において、判断手段１５は、鼓動情報の変化を検知し、入浴者Ｕｎの体調に異変が生じていないかを確認する。ステップ３−２８において鼓動情報の異変が検知された場合は、制御フローが上記したステップ３−３２に進み、入浴者Ｕｎに対して異常を知らせ、安全対応動作が行われる。
【０１７０】
一方、ステップ３−２８において鼓動情報の変化内容に異常が検知されない場合は、制御フローがステップ３−２９に進行し、測定カウンタのカウント数ｎが「１」加算される。その後、制御フローはステップ３−３０に進み、加算後のカウント数ｎが「３」に達しているかが確認される。ここでカウント数ｎが「３」に達していない場合は制御フローがステップ３−２７に戻り、図１１に示すサブルーチンに則って再度心電図測定が行われる。
【０１７１】
一方、ステップ３−３０においてカウント数ｎが「３」に達している場合は、制御フローがステップ３−３１に移行し、３回の心電図測定に基づいて導出される心電図Ｘや心拍数Ｒ等の鼓動情報の変化を検知し、個人蓄積情報Ｐｎに蓄積されている過去の鼓動情報の変化内容との比較により入浴者Ｕｎの体調に異変が生じていないかを確認する。ステップ３−３０において鼓動情報の異変が検知された場合は、制御フローがステップ３−３２に進み、入浴者Ｕｎに対して異常を知らせ、安全対応動作が行われる。
【０１７２】
ステップ３−３０において導出された心電図Ｘおよび心拍数Ｒの測定結果は、ステップ３−１２においてリモコン５の表示部２７やスピーカー３１を介して入浴者Ｕｎに報知される。その後、３−２７において検知された鼓動情報や心電図Ｘ、心拍数Ｒの変化内容およびステップ３−３１において導出された判断結果等、一連の検知動作において得られた情報が個人蓄積情報Ｐｎに記憶される。測定結果の記憶が完了すると、制御フローは上記したステップ１−３（図８参照）に戻る。
【０１７３】
（血圧検出動作）
リモコン５やリモコン６により血圧検出動作を行う旨の設定がなされている場合、本実施形態の温水システム１の制御フローは、図８に示す制御フローのステップ１−３から図１２に示すサブルーチンのステップ５−１へと移行する。以下、温水システム１における血圧検出動作について図面を参照しながら詳細に説明する。なお、図１２に示す制御フローの説明において、上記した制御フローと同一の動作を行う部分については詳細にわたる説明を省略する。
【０１７４】
制御フローが図１２のサブルーチンに移行すると、ステップ５−１〜５−７において図９に示すサブルーチンのステップ２−１〜２−７と同様の動作を行い、入浴者Ｕｎの特定および個人蓄積情報Ｐｎの選択が行われる。
【０１７５】
ステップ５−７で個人蓄積情報Ｐｎが選択されると、制御フローがステップ５−８に進行する。制御フローがステップ５−８に進行すると、入浴状況検知手段６５により入浴者Ｕｎの入浴状態が検知され、この検知結果に応じて負荷調整手段１６が入浴状態の調整を行う。即ち、ステップ５−８では、入浴状況検知手段６５の検知信号に基づいて負荷調整手段１６が作動し、血圧値Ｂの測定条件が調整される。
【０１７６】
さらに具体的に説明すると、入浴状況検知手段６５は、浴室８の天井８ａに設置された人体検知手段６８により入浴者Ｕｎが浴槽７内に入っているかを確認する。ここで、入浴者Ｕｎが例えば洗い場などに居るなどして湯につかっていない場合、リモコン５の表示部２７やスピーカー３１により入浴者Ｕｎに入浴するように報知される。また、入浴状況検知手段６５は、水位センサ６６が検知する水位の変動によって入浴者Ｕｎがどの程度湯につかっているかを確認する。さらに、入浴状況検知手段６５は、水温センサ６７によって浴槽７内の水温を検知する。入浴状況検知手段６５は、水位センサ６６や水温センサ６７の検知信号に基づいて、入浴者Ｕｎの入浴状況を示す入浴状況データを負荷調整手段１６に向けて送信する。負荷調整手段１６は、入浴状況データに基づいて入浴者Ｕｎの入浴状況を判断し、給湯制御手段１１に負荷調整指令を送信する。給湯制御手段１１は、負荷調整指令に基づいて給湯ユニット１０を作動させ、浴槽７内の水位および水量を血圧値Ｂの測定に適した状態に調整する。
【０１７７】
ステップ５−８において入浴状態の調整が完了すると、制御フローがステップ５−９に進行する。ステップ５−９において、血圧情報導出手段５９は、心電情報導出手段５５から心電信号を受信すると共に、脈波センサ５２から脈波信号を受信する。その後、血圧情報導出手段５９は、ステップ５−１０においてズレ時間ｔｇを導出する。さらに具体的には、血圧情報導出手段５９は、図７（ａ）のように、受信した心電信号によって得られる心電図ＸのＱＲＳ波のピークが発現してから、脈波信号によって得られる脈波形Ｍの立ち上がり点Ｉが検知されるまでの時間をズレ時間ｔｇとして認識する。ステップ５−１０においてズレ時間ｔｇが導出されると、制御フローはステップ５−１１へと進行する。
【０１７８】
制御フローがステップ５−１１に移行すると、血圧情報導出手段５９は、図７（ｂ）のグラフに示す血圧値Ｂとズレ時間ｔｇとの関係に基づき、ステップ５−１０において導出されたズレ時間ｔｇから血圧値Ｂが算出され、血圧値Ｂを示す血圧信号が形成される。
【０１７９】
ステップ５−１１で形成された血圧信号は、ステップ５−１２においてリモコン５，６の報知手段２５，３８に送信される。これにより、リモコン５，６の表示部２７，４１には入浴者Ｕｎの血圧値Ｂに関する情報が文字や図形を用いて表示される。また、ステップ５−１１において形成された血圧信号は、ステップ５−１３において鼓動情報検知手段５３の一部である血圧情報導出手段５９と、給湯装置３側の検知制御手段１２との間で送受信される。血圧信号は、検知制御手段１２の蓄積手段１３に格納されている入浴者Ｕｎの個人蓄積情報Ｐｎに記憶されると共に、判断手段１５に送られる。
【０１８０】
判断手段１５は、ステップ５−１４において血圧情報導出手段５９から受信した血圧信号の異常の有無を検知する。さらに具体的には、判断手段１５は、血圧情報導出手段５９から血圧信号を受信すると共に、個人蓄積手段Ｐｎに蓄積されている入浴者Ｕｎの履歴データベースから血圧値Ｂの履歴データ（以下、血圧履歴データＢｐと称す）を選択して参照する。
【０１８１】
ここで、血圧履歴データＢｐとは、過去に行われた血圧値Ｂの測定結果の履歴情報をデータベース化したものである。血圧履歴データＢｐは、過去に測定された血圧値Ｂのデータから検知不良等によって発生した特異なデータを除去して相加平均したものである。血圧履歴データＢｐは、入浴者Ｕｎの体型や体質、入浴時の姿勢等のような入浴者Ｕｎの特徴を加味したデータである。
【０１８２】
ステップ５−１４において、判断手段１５は、測定された血圧信号と血圧履歴データＢｐとを比較し、血圧値Ｂの異常判断を行う。ここで、測定の結果導出された血圧値Ｂが血圧履歴データＢｐから大きく離れている場合、ステップ５−１５において入浴者Ｕｎの血圧値Ｂが異常であるとの判断が下される。
【０１８３】
ステップ５−１５において、入浴者Ｕｎの血圧値Ｂの異常が確認された場合、制御フローがステップ５−１７に進行し、安全対応動作が行われる。さらに具体的には、制御フローがステップ５−１７に移行した場合は、血圧値Ｂが過去の血圧履歴データと大幅に異なり、入浴を継続すると入浴者Ｕｎが体調を崩すおそれがある。そこで、制御フローがステップ５−１７に移行した場合は、浴室８内に設置されたリモコン５のスピーカー３１から入浴者Ｕｎに対して入浴を止めるように促すメッセージが発声されると共に、表示部２７に同様の意味内容を示す文字や図形が表示される。ここで、表示部２７に表示される文字や図形等の情報は、入浴者Ｕｎに異常をより一層確実に伝達すべく、点滅表示やアニメーション表示のような手法や、他の表示と異なる色で表示するなどの手法を用いて表示されることが望ましい。
【０１８４】
一方、ステップ５−１５において血圧値Ｂが血圧履歴データと大きく違わず、許容範囲内であると判断された場合、制御フローがステップ５−１６に進行し、入浴状況検知手段６５によって入浴者Ｕｎが入浴を継続しているか否かが確認される。ステップ５−１６において入浴者Ｕｎが入浴を継続していることが確認されると、制御フローがステップ５−９に戻り、血圧値Ｂの測定が継続される。一方、ステップ５−１６において入浴者Ｕｎが浴槽７から出ていることを検知すると、図１２に示す血圧値Ｂの測定用のサブルーチンに沿った動作が完了し、図８のステップ１−４に戻る。
【０１８５】
上記した図１２に示すサブルーチンにおいて、ステップ５−１４は、過去に測定された血圧値Ｂの履歴データである血圧履歴データと、ステップ５−１１において算出された血圧値Ｂとの比較により入浴者Ｕｎの異常を検知するものであったが、本発明はこれに限定されるものではない。さらに具体的には、ステップ５−１４は、例えば血圧値Ｂと血圧履歴データＢｐとの比較による異常検知と、入浴者Ｕｎの血圧値Ｂの経時変化に基づく異常検知とを同時に行うステップと置換することも可能である。
【０１８６】
さらに具体的には、入浴者Ｕｎの血圧値Ｂは、入浴に伴う血管の拡張・収縮および血流の変化に伴い図１３に示すように経時的に変化する。即ち、入浴者Ｕｎが４０℃程度の湯に入浴した直後（図１３の時間ｔｉ）は、入浴者Ｕｎの交感神経が緊張して末梢血管が収縮すし、血圧値Ｂが図１３のように上昇する。そのため、血圧情報導出手段５９が算出するズレ時間ｔｇは、図１３に示すように入浴直後に急激に低下する。
【０１８７】
入浴者Ｕｎの入浴開始から暫く時間が経過すると、湯の熱によって入浴者Ｕｎの血流量が徐々に増加し、末梢血管が拡張して図１３のように血圧値Ｂが低下する。これに伴い、入浴直後に低下していたズレ時間ｔｇは、徐々に増加する。その後、さらに入浴を継続すると、入浴者Ｕｎの血管の拡張が平衡状態に達するが、血流量は増加し続ける。これにより、入浴直後から低下傾向にあった血圧値Ｂが変曲点Ｋｐにおいて増加に転じ、増加傾向にあったズレ時間ｔｇが減少に転じる。血圧値Ｂが増加に転じた時点は、入浴者Ｕｎの体が十分温まった状態であるが、入浴をさらに継続すると血圧値Ｂが上昇しすぎて入浴者Ｕｎの体調が異常を来すおそれがある。そのため、ステップ５−１４において入浴者Ｕｎの血圧値Ｂの経時変化に基づく異常検知を行う場合は、血圧値Ｂを反映するデータであるズレ時間ｔｇの変化が検知され、ズレ時間ｔｇが増加から減少に転じた時点（変曲点Ｋｔ）で制御フローがステップ５−１７に移行する。かかる構成によれば、血圧値Ｂの変動に伴う入浴者Ｕｎの体調の悪化を未然に検知し、防止できる。
【０１８８】
上記したように、本実施形態の温水システム１では、過去に測定された心拍数Ｒ、心電図Ｘ、血圧値Ｂに基づいて導出される心拍数履歴データＲｐ、心電履歴データＥｐ、心拍数履歴データＲｐ等の情報に基づくデータベースが各入浴者Ｕｎ（ｎ＝１，２，・・・ｎ）毎の個人蓄積情報Ｐｎ（ｎ＝１，２，・・・ｎ）として構築されている。温水システム１は、入浴中に心臓の鼓動に関するデータの収集を行うものであるため、各個人毎に構築された個人蓄積情報Ｐｎは、入浴者に特有の体質等の特徴や、日常的な鼓動情報の推移等が考慮された情報である。そのため、個人蓄積情報Ｐｎに基づいて判断手段１５におけいて下される判断は極めて精度が高い。
【０１８９】
また、本発明の温水システム１は、心電図Ｘの測定モードとして詳細測定法が選択されると湯温や水位の調整により入浴者Ｕｎに作用する入浴負荷が徐々に変化し、それぞれの段階で心電図Ｘが測定される。そのため、温水システム１によれば、病院等の施設で行われている「トレッドミル運動負荷試験」と称される検査に相当する測定を入浴するだけで行える。従って、本発明によれば、トレッドミル装置のような大がかりな装置類を用いたり、入浴者Ｕｎが特別な運動を行わなくても精度の高い測定を行える。
【０１９０】
上記したように、温水システム１によれば、特別な運動を行わなくても、心拍数Ｒや心電図Ｘ、血圧値Ｂといった心臓の鼓動に関するデータを収集できる。そのため、温水システム１によれば、老人や体の不自由な人のようにトレッドミル上を走行するような運動を行えないような被験者であってもトレッドミル運動負荷試験を行った場合に相当する精度の高い測定を行える。
【０１９１】
温水システム１は、入浴時に心臓の鼓動に関するデータの収集を行うものである。そのため、温水システム１によれば、老人や体の不自由な人のように、運動を行うことが困難な人たちのようにトレッドミル運動負荷試験等においてなされる運動を行えないような人であっても、入浴さえできれば運動負荷を変化させて心臓の鼓動に関する情報を収集できる。従って、本発明によれば、従来トレッドミル運動負荷試験等の検査を受けられなかったような被験者についてもこれに相当する検査を行える。
【０１９２】
さらに、温水システム１は、入浴と同時に心臓の鼓動に関するデータの収集を行うものであるため、被験者たる入浴者Ｕｎは特別な器具や時間を設けなくても心臓の鼓動に関する検査を行える。
【０１９３】
また、温水システム１は、入浴により入浴者Ｕｎがリラックスした状態で心臓の鼓動に関するデータの収集を行うものであるため、検知された鼓動情報に基づく心電図Ｘや心拍数Ｒ、血圧値Ｂは安定性が高く、信憑性の高い。従って、温水システム１によれば、潜在的な心臓疾患の早期発見や正確な体力レベルの判定等を行える。
【０１９４】
上記したように、温水システム１は、蓄積手段１３に記憶されている各入浴者Ｕｎ毎の個人蓄積情報Ｐｎに測定データが蓄積されていくと共に、個人蓄積情報Ｐｎに基づいて心電図Ｘや心拍数Ｒ、血圧値Ｂの異常判断を行うものである。即ち、温水システム１において、個人蓄積情報Ｐｎは、異常判断の基礎となるデータであり、個人蓄積情報Ｐｎの精度如何で異常判断の判断精度が変動する。即ち、万一、ボタン操作等のミスにより個人蓄積情報Ｐｎに他人の測定データが蓄積されると、温水システム１における異常判断の信憑性が低下してしまう。
【０１９５】
しかし、温水システム１は、入力された音声データに基づいて入浴者Ｕｎを特定し、個人蓄積情報Ｐｎを選択する構成となっている。さらに、温水システム１では、心電図Ｘや心拍数Ｒ、血圧値Ｂの検知動作に移行する前に入浴者Ｕｎを再度確認する構成となっている。そのため、温水システム１では、入浴者Ｕｎの誤認が起こらず、極めて精度の高い個人蓄積情報Ｐｎが構築される。従って、温水システム１によれば、心電図Ｘや心拍数Ｒ、血圧値Ｂが異常か否かを精度良く判断できる。
【０１９６】
上記実施形態では、図８のように心拍検知動作、心電図検知動作、血圧検知動作が独立して行われる例を例示したが、本発明はこれに限定されるものではなく、例えば心拍検知動作と血圧検知動作とを同時に行うといったように複数の検知動作を同時に行う構成としてもよい。かかる構成によれば、一連の検知動作に要する時間を大幅に短縮できる。
【０１９７】
上記実施形態の温水システム１は、心電図Ｘや心拍数Ｒ、血圧値Ｂのような心臓の鼓動に関する情報や、これらの情報が異常であるか否かを表示するものであったが、本発明はこれに限定されるものではなく例えば心拍数Ｒ、心電図Ｘ、血圧値Ｂ等から予知される病名等を報知手段２５，３８から報知する構成としてもよい。かかる構成によれば、入浴者Ｕｎは、心臓疾患等を早期発見することができる。
【０１９８】
上記したように、温水システム１は、負荷調整手段１６において導出される入浴負荷を報知手段２５，３８を介して報知することも可能である。さらに具体的には、温水システム１は、入浴者Ｕｎが入浴してから出るまでに消費したエネルギーを表示部２７，４１に表示したり、スピーカー３１，４７から音声出力する構成としてもよい。かかる構成によれば、温水システム１の利用者（入浴者Ｕｎ）は、入浴による消費エネルギーを詳細に知ることができ、ダイエットや食事制限のような健康管理に有効利用できる。
【０１９９】
上記したように、温水システム１は、画像検出センサ６９と赤外検出センサ７０とを備えた入浴状況検知手段６５によって入浴者Ｕｎの有無を検知したり、入浴者Ｕｎが何処に居るのかを検知するものであった。しかし、本発明はこれに限定されるものではなく、例えば画像検出センサ６９や赤外検出センサ７０に代わってサーモトレーサー等の検知手段を採用したり、サーモトレーサーを追加した構成とすることも可能である。入浴状況検知手段６５としてサーモトレーサーを採用した場合は、浴室８内における入浴者Ｕｎの有無や位置の特定に加えて、サーモトレーサーの検知データに基づいて得られるサーモグラフィーから入浴による入浴者Ｕｎの体温変化を検知し、入浴負荷を導出する構成とすることも可能である。かかる構成によれば、入浴者Ｕｎに作用する入浴負荷をより一層正確に検知でき、心電図Ｘや心拍数Ｒ、血圧値Ｂの検知精度を向上できる。
【０２００】
上記したように、本実施形態の温水システム１の動作モードとして負荷モードが選択された場合、３度にわたって鼓動情報の検知動作（心電図測定）を行うため、測定のための入浴時間が長く、入浴者Ｕｎの体力が次第に消耗される。そのため、負荷モードを選択すると、３度にわたる検知動作の間における鼓動情報の推移を示す変化内容まで考慮に入れて入浴者Ｕｎの心臓の鼓動に関する情報や体調の異常を判断できる。
【０２０１】
上記実施形態の温水システム１は、負荷モードが選択された場合、一連の鼓動情報の検知動作（図１０のステップ３−１８〜３−２２、ステップ３−２７〜３−３１に至る制御フロー）を湯温や水位が一定の条件下で３度行うものであったが、本発明はこれに限定されるものではなく、例えば上記した一連の鼓動情報の検知動作が終わるたびに湯温や湯量を増減させ、検知動作の回を追う毎に入浴者Ｕｎに対して作用する負荷を増減させることも可能である。かかる構成によれば、検知動作の回を追う毎に入浴者Ｕｎに作用する負荷の増加の割合が大きくなり、鼓動情報の検知動作に要する時間の調整や、鼓動情報の検知精度や判断精度の向上を行える。
【０２０２】
上記した温水システム１は、鼓動情報の測定モードとして静止モードと負荷モードのいずれかを選択可能なものであったが、本発明はこれに限定されるものではなく、どちらか一方のモードのみで動作するものであってもよい。また、温水システム１は、負荷モードの選択時に鼓動情報の検知方法を詳細測定法と自動測定法とから選択可能であったが、本発明はこれに限定されるものではなく、いずれか一方の測定法のみで測定するものであっても良い。
【図面の簡単な説明】
【０２０３】
【図１】本実施形態の温水システムを採用した家屋を示す模式図である。
【図２】図１に示す温水システムの動作原理図である。
【図３】図１に示す温水システムにおいて採用されているリモコンの正面図である。
【図４】（ａ）は、図１に示す温水システムにおいて採用されている操作言語テーブルであり、同（ｂ）は図１に示す温水システムにおいて採用されている安全パターンテーブルである。
【図５】図１に示す温水システムが設置された浴室を示す斜視図である。
【図６】図１に示す温水システムに採用されている心電情報導出手段の回路構成図である。
【図７】（ａ）は、図１に示す温水システムにおいて測定される心電図および脈波形を示す図であり、同（ｂ）は血圧値とズレ時間の関係を示すグラフである。
【図８】図１に示す温水システムの動作を示すフローチャートである。
【図９】図１に示す温水システムの動作を示すフローチャートである。
【図１０】図１に示す温水システムの動作を示すフローチャートである。
【図１１】図１に示す温水システムの動作を示すフローチャートである。
【図１２】図１に示す温水システムの動作を示すフローチャートである。
【図１３】入浴による血圧値およびズレ時間の経時変化を示すグラフである。
【符号の説明】
【０２０４】
１  温水システム
３  給湯装置
５，６  リモコン
７  浴槽
１２  検知制御手段
１３  蓄積手段
１５  判断手段
１６  負荷調整手段
１７  記憶手段
２１，３６  音声入力手段
２２  音声識別手段
２３，３９  個人特定手段
２５，３８  報知手段
２７，４１  表示部
３１，４７  スピーカー
５１ａ，５１ｂ，５１ｃ  電極
５２  脈波センサ
５３  鼓動情報検知手段
５５  心電情報導出手段
５９  血圧情報導出手段
６５  入浴状況検知手段
６８  人体検知手段
【図１】
2005102859.tif 000003
【図２】
2005102859.tif 000004
【図３】
2005102859.tif 000005
【図４】
2005102859.tif 000006
【図５】
2005102859.tif 000007
【図６】
2005102859.tif 000008
【図７】
2005102859.tif 000009
【図８】
2005102859.tif 000010
【図９】
2005102859.tif 000011
【図１０】
2005102859.tif 000012
【図１１】
2005102859.tif 000013
【図１２】
2005102859.tif 000014
【図１３】
2005102859.tif 000015